(57)【特許請求の範囲】
【請求項１】
拡張下りリンク制御チャネル（Ｅ−ＰＤＣＣＨ）を送信するための方法であって、
多重化ユニットを事前設定することを備え、前記多重化ユニットは、少なくとも１つのリソース・ブロック・ペアを備え、前記少なくとも１つのリソース・ブロック・ペアは、拡張下りリンク制御チャネル（Ｅ−ＰＤＣＣＨ）リソースならびに復調参照（ＤＭ  ＲＳ）リソースを備え、前記Ｅ−ＰＤＣＣＨリソースは、複数の制御チャネル・エレメントを備え、前記多重化ユニットにおける前記制御チャネル・エレメントの割り当てパターンは、ＤＭ  ＲＳポートにバインドされ、
前記方法はさらに、前記事前設定された多重化ユニットの少なくとも１つの制御チャネル・エレメントにおいて、少なくとも１つのユーザ機器（ＵＥ）に対応する少なくとも１つのＥ−ＰＤＣＣＨを送信し、さらに、前記事前設定された多重化ユニットの前記ＤＭ  ＲＳリソースにおいて、前記少なくとも１つのＵＥに対応するＤＭ  ＲＳを送信することを備え、
前記少なくとも１つのリソース・ブロック・ペアは、同じプレコーディング行列を用いてプレコードが行われるリソース・ブロック・ペアのグループ（プレコーディング・リソース・ブロック・グループ：ＰＲＧ）であり、前記ＰＲＧにおけるリソース・ブロックＲＢの個数は、システム帯域幅によって決定される、方法。
【請求項２】
前記事前設定された多重化ユニットの前記少なくとも１つの制御チャネル・エレメントにおいて前記少なくとも１つのユーザ機器（ＵＥ）に対応する前記少なくとも１つのＥ−ＰＤＣＣＨを送信することは、
前記少なくとも１つのＵＥが複数のＵＥである場合、時分割多重化、または周波数分割多重化、または時間−周波数多重化に従って、前記複数の制御チャネル・エレメントの中に含まれる少なくとも２つの制御チャネル・エレメントを使用して前記複数のＵＥに対応するＥ−ＰＤＣＣＨを送信することを備える、請求項１に記載の方法。
【請求項３】
前記少なくとも１つのＵＥに対応する前記ＤＭ  ＲＳを送信することは、
前記少なくとも１つのＵＥの各ＵＥについて、前記事前設定された多重化ユニットにおいて前記ＵＥに割り当てられたＤＭ  ＲＳポートに対応するすべてのＤＭ  ＲＳ時間−周波数リソースを使用して、前記ＵＥの前記ＤＭ  ＲＳを送信すること、または
前記ＵＥの前記Ｅ−ＰＤＣＣＨを搬送する前記リソース・ブロック・ペアにおける前記ＤＭ  ＲＳリソースを使用して、前記ＵＥの前記ＤＭ  ＲＳを送信することを備える、請求項１に記載の方法。
【請求項４】
前記少なくとも１つのＵＥが複数のＵＥである場合、異なるＤＭ  ＲＳポートを前記複数のＵＥ対して割り当てるか、または、同じＤＭ  ＲＳポートを前記複数のＵＥの少なくとも２つのＵＥに割り当てることをさらに備える、請求項１に記載の方法。
【請求項５】
異なるＤＭ  ＲＳポートが前記複数のＵＥに割り当てられる場合、前記少なくとも１つのＵＥに対応する前記ＤＭ  ＲＳを送信することは、
周波数分割多重化、コード分割多重化、または周波数分割ならびにコード分割多重化に従って、前記複数のＵＥの前記ＤＭ  ＲＳを送信することを備える、請求項４に記載の方法。
【請求項６】
前記複数のＵＥに割り当てられた前記ＤＭ  ＲＳポートを、無線リソース制御ＲＲＣシグナリングを通じて前記複数のＵＥに報知すること、または、
ＤＭ  ＲＳポートと前記多重化ユニットの割り当てパターンとの間の結合関係を事前に構成することをさらに備え、前記結合関係はまた、ＵＥ側で構成される、請求項４に記載の方法。
【請求項７】
時分割多重化、または周波数分割多重化、または時間−周波数多重化に従い前記Ｅ−ＰＤＣＣＨリソースが分割されると、前記複数の制御チャネル・エレメントが取得される、請求項１から６のいずれか一項に記載の方法。
【請求項８】
前記多重化ユニットは、前記少なくとも１つのリソース・ブロック・ペアにおいて、下りリンク制御チャネルＰＤＣＣＨリソース、共通基準信号ＣＲＳリソース、およびチャネル状態情報基準信号ＣＳＩ  ＲＳリソース以外のリソースによって形成される、請求項１から６のいずれか一項に記載の方法。
【請求項９】
拡張下りリンク制御チャネルを受信するための方法であって、
多重化ユニットで信号を受信することを備え、前記多重化ユニットは、少なくとも１つのリソース・ブロック・ペアを備え、前記少なくとも１つのリソース・ブロック・ペアは、拡張下りリンク制御チャネルＥ−ＰＤＣＣＨリソースならびに復調参照（ＤＭ  ＲＳ）リソースを備え、前記Ｅ−ＰＤＣＣＨリソースは、複数の制御チャネル・エレメントを備え、前記多重化ユニットにおける前記制御チャネル・エレメントの割り当てパターンは、ＤＭ  ＲＳポートにバインドされ、
前記方法はさらに、前記多重化ユニットで受信したすべてのＤＭ  ＲＳを使用することによって、チャネル推定を実行することと、
前記チャネル推定の結果を使用することによって、前記多重化ユニットにおいて前記Ｅ−ＰＤＣＣＨリソースを使用して受信した前記信号を復調して、Ｅ−ＰＤＣＣＨを取得することとを備え、
前記少なくとも１つのリソース・ブロック・ペアは、同じプレコーディング行列を用いてプレコードが行われるリソース・ブロック・ペアのグループ（プレコーディング・リソース・ブロック・グループ：ＰＲＧ）であり、前記ＰＲＧにおけるリソース・ブロックＲＢの個数は、システム帯域幅によって決定される、方法。
【請求項１０】
基地局であって、
多重化ユニットを事前設定するよう構成される、構成設定モジュールを備え、前記多重化ユニットは、少なくとも１つのリソース・ブロック・ペアを備え、前記少なくとも１つのリソース・ブロック・ペアは、拡張下りリンク制御チャネル（Ｅ−ＰＤＣＣＨ）リソースならびに復調参照（ＤＭ  ＲＳ）リソースを備え、前記Ｅ−ＰＤＣＣＨリソースは、複数の制御チャネル・エレメントを備え、前記多重化ユニットにおける前記制御チャネル・エレメントの割り当てパターンは、ＤＭ  ＲＳポートにバインドされ、
前記基地局はさらに、前記事前設定された多重化ユニットの少なくとも１つの制御チャネル・エレメントにおいて、少なくとも１つのユーザ機器（ＵＥ）に対応する少なくとも１つのＥ−ＰＤＣＣＨを送信し、さらに、前記事前設定された多重化ユニットの前記ＤＭ  ＲＳリソースにおいて、前記少なくとも１つのＵＥに対応するＤＭ  ＲＳを送信するよう構成される、送信モジュールを備え、
前記少なくとも１つのリソース・ブロック・ペアは、同じプレコーディング行列を用いてプレコードが行われるリソース・ブロック・ペアのグループ（プレコーディング・リソース・ブロック・グループ：ＰＲＧ）であり、前記ＰＲＧにおけるリソース・ブロックＲＢの個数は、システム帯域幅によって決定される、基地局。
【請求項１１】
前記送信モジュールは、
前記少なくとも１つのＵＥが複数のＵＥである場合、時分割多重化、周波数分割多重化、または時間−周波数多重化に従って、前記複数の制御チャネル・エレメントの中に含まれる少なくとも２つの制御チャネル・エレメントを使用して前記複数のＵＥに対応するＥ−ＰＤＣＣＨを送信するよう構成された、第１の送信ユニットを備える、請求項１０に記載の基地局。
【請求項１２】
前記送信モジュールが、
前記少なくとも１つのＵＥの各ＵＥについて、前記事前設定された多重化ユニットにおいて前記ＵＥに割り当てられたＤＭ  ＲＳポートに対応するすべてのＤＭ  ＲＳ時間−周波数リソースを使用して前記ＵＥの前記ＤＭ  ＲＳを送信するか、または、前記ＵＥの前記Ｅ−ＰＤＣＣＨを搬送する前記リソース・ブロック・ペアにおける前記ＤＭ  ＲＳリソースを使用して前記ＵＥの前記ＤＭ  ＲＳを送信するよう構成された、第２の送信ユニットを備える、請求項１０に記載の基地局。
【請求項１３】
前記構成設定モジュールは、さらに、前記少なくとも１つのＵＥが複数のＵＥである場合、前記複数のＵＥに異なるＤＭ  ＲＳポートを割り当てるか、または、前記複数のＵＥの中の少なくとも２つのＵＥに同じＤＭ  ＲＳポートを割り当てるよう構成される、請求項１０に記載の基地局。
【請求項１４】
前記構成設定モジュールが前記複数のＵＥに異なるＤＭ  ＲＳポートを割り当てる場合、前記送信モジュールは、
周波数分割多重化、コード分割多重化、または周波数分割ならびにコード分割多重化に従って、前記複数のＵＥの前記ＤＭ  ＲＳを送信するよう構成される、第３の送信ユニットを備える、請求項１３に記載の基地局。
【請求項１５】
前記送信モジュールは、前記複数のＵＥに割り当てられた前記ＤＭ  ＲＳポートを、無線リソース制御（ＲＲＣ）シグナリングを通じて前記複数のＵＥに報知するようさらに構成され、または、
前記構成設定モジュールは、ＤＭ  ＲＳポートと前記多重化ユニットの割り当てパターンとの間の結合関係を事前に構成するようさらに構成され、前記結合関係はまた、ＵＥ側において構成される、請求項１３に記載の基地局。
【請求項１６】
前記構成設定モジュールは、時分割多重化、または周波数分割多重化、または時間−周波数多重化に従って前記Ｅ−ＰＤＣＣＨリソースを分割することによって、前記複数の制御チャネル・エレメントを取得するよう構成される、請求項１０から１５のいずれか一項に記載の基地局。
【請求項１７】
ユーザ機器（ＵＥ）であって、
多重化ユニットで信号を受信するよう構成される、受信モジュールを備え、前記多重化ユニットは、少なくとも１つのリソース・ブロック・ペアを備え、前記少なくとも１つのリソース・ブロック・ペアは、拡張下りリンク制御チャネル（Ｅ−ＰＤＣＣＨ）リソースならびに復調参照（ＤＭ  ＲＳ）リソースを備え、前記Ｅ−ＰＤＣＣＨリソースは、複数の制御チャネル・エレメントを備え、前記多重化ユニットにおける前記制御チャネル・エレメントの割り当てパターンは、ＤＭ  ＲＳポートにバインドされ、
前記ユーザ機器ＵＥはさらに、前記多重化ユニットで受信したすべてのＤＭ  ＲＳを使用することによって、チャネル推定を実行するよう構成される、チャネル推定モジュールと、
前記チャネル推定の結果を使用することによって、前記多重化ユニットにおいて前記Ｅ−ＰＤＣＣＨリソースを使用して受信した前記信号を復調して、Ｅ−ＰＤＣＣＨを取得するよう構成される、復調モジュールとを備え、
前記少なくとも１つのリソース・ブロック・ペアは、同じプレコーディング行列を用いてプレコードが行われるリソース・ブロック・ペアのグループ（プレコーディング・リソース・ブロック・グループ：ＰＲＧ）であり、前記ＰＲＧにおけるリソース・ブロックＲＢの個数は、システム帯域幅によって決定される、ユーザ機器（ＵＥ）。
【請求項１８】
下りリンク制御情報を伝送するためのシステムであって、前記システムは、請求項１０から１６のいずれか一項に記載の前記基地局、および請求項１７に記載の前記ユーザ機器（ＵＥ）を備えるシステム。
【請求項１９】
拡張下りリンク制御チャネルを送信するための方法であって、
多重化ユニットを事前設定することを備え、前記多重化ユニットは、少なくとも１つのリソース・ブロック・ペアを備え、前記少なくとも１つのリソース・ブロック・ペアは、拡張下りリンク制御チャネル（Ｅ−ＰＤＣＣＨ）リソースならびに復調参照（ＤＭ  ＲＳ）リソースを備え、前記Ｅ−ＰＤＣＣＨリソースは、複数の制御チャネル・エレメントを備え、前記多重化ユニットにおける前記制御チャネル・エレメントの割り当てパターンは、ＤＭ  ＲＳポートにバインドされ、
前記方法はさらに、前記事前設定された多重化ユニットの少なくとも１つの制御チャネル・エレメントにおいて、少なくとも１つのユーザ機器（ＵＥ）に対応する少なくとも１つのＥ−ＰＤＣＣＨを送信し、さらに、前記事前設定された多重化ユニットの前記ＤＭ  ＲＳリソースにおいて、前記少なくとも１つのＵＥに対応するＤＭ  ＲＳを送信することを備える、方法。
【請求項２０】
前記事前設定された多重化ユニットの前記少なくとも１つの制御チャネル・エレメントにおいて、前記少なくとも１つのユーザ機器（ＵＥ）に対応する前記少なくとも１つのＥ−ＰＤＣＣＨを送信することは、
前記少なくとも１つのＵＥが複数のＵＥである場合、時分割多重化、または周波数分割多重化、または時間−周波数多重化に従って、前記複数の制御チャネル・エレメントの中に含まれる少なくとも２つの制御チャネル・エレメントを使用して前記複数のＵＥに対応するＥ−ＰＤＣＣＨを送信することを備える、請求項１９に記載の方法。
【請求項２１】
前記少なくとも１つのＵＥに対応する前記ＤＭ  ＲＳを送信することは、
前記ＵＥの前記Ｅ−ＰＤＣＣＨを搬送する前記リソース・ブロック・ペアにおける前記ＤＭ  ＲＳリソースを使用して、前記ＵＥの前記ＤＭ  ＲＳを送信することを備える、請求項１９に記載の方法。
【請求項２２】
前記多重化ユニットは、前記少なくとも１つのリソース・ブロック・ペアにおいて、下りリンク制御チャネルＰＤＣＣＨリソース、共通基準信号（ＣＲＳ）リソース、およびチャネル状態情報基準信号（ＣＳＩ  ＲＳ）リソース以外のリソースによって形成される、請求項１９から２１のいずれか一項に記載の方法。
【請求項２３】
拡張下りリンク制御チャネルを受信するための方法であって、
多重化ユニットで信号を受信することを備え、前記多重化ユニットは、少なくとも１つのリソース・ブロック・ペアを備え、前記少なくとも１つのリソース・ブロック・ペアは、拡張下りリンク制御チャネル（Ｅ−ＰＤＣＣＨ）リソースならびに復調参照（ＤＭ  ＲＳ）リソースを備え、前記Ｅ−ＰＤＣＣＨリソースは、複数の制御チャネル・エレメントを備え、前記多重化ユニットにおける前記制御チャネル・エレメントの割り当てパターンは、ＤＭ  ＲＳポートにバインドされ、
前記方法はさらに、前記多重化ユニットで受信したすべてのＤＭ  ＲＳを使用することによって、チャネル推定を実行することと、
前記チャネル推定の結果を使用することによって、前記多重化ユニットにおいて前記Ｅ−ＰＤＣＣＨリソースを使用して受信した前記信号を復調して、Ｅ−ＰＤＣＣＨを取得することとを備える、方法。
【請求項２４】
基地局であって、
多重化ユニットを事前設定するよう構成される、構成設定モジュールを備え、前記多重化ユニットは、少なくとも１つのリソース・ブロック・ペアを備え、前記少なくとも１つのリソース・ブロック・ペアは、拡張下りリンク制御チャネル（Ｅ−ＰＤＣＣＨ）リソースならびに復調参照（ＤＭ  ＲＳ）リソースを備え、前記Ｅ−ＰＤＣＣＨリソースは、複数の制御チャネル・エレメントを備え、前記多重化ユニットにおける前記制御チャネル・エレメントの割り当てパターンは、ＤＭ  ＲＳポートにバインドされ、
前記基地局はさらに、前記事前設定された多重化ユニットの少なくとも１つの制御チャネル・エレメントにおいて、少なくとも１つのユーザ機器（ＵＥ）に対応する少なくとも１つのＥ−ＰＤＣＣＨを送信し、さらに、前記事前設定された多重化ユニットの前記ＤＭ  ＲＳリソースにおいて、前記少なくとも１つのＵＥに対応するＤＭ  ＲＳを送信するよう構成される、送信モジュールを備える、基地局。
【請求項２５】
前記送信モジュールは、
前記少なくとも１つのＵＥが複数のＵＥである場合、時分割多重化、または周波数分割多重化、または時間−周波数多重化に従って、前記複数の制御チャネル・エレメントの中に含まれる少なくとも２つの制御チャネル・エレメントを使用して前記複数のＵＥに対応するＥ−ＰＤＣＣＨを送信するよう構成された、第１の送信ユニットを備える、請求項２４に記載の基地局。
【請求項２６】
前記送信モジュールは、
前記ＵＥの前記Ｅ−ＰＤＣＣＨを搬送する前記リソース・ブロック・ペアにおける前記ＤＭ  ＲＳリソースを使用して、前記ＵＥの前記ＤＭ  ＲＳを送信するよう構成される、第２の送信ユニットを備える、請求項２４に記載の基地局。
【請求項２７】
ユーザ機器（ＵＥ）であって、
多重化ユニットで信号を受信するよう構成される、受信モジュールを備え、前記多重化ユニットは、少なくとも１つのリソース・ブロック・ペアを備え、前記少なくとも１つのリソース・ブロック・ペアは、拡張下りリンク制御チャネル（Ｅ−ＰＤＣＣＨ）リソースならびに復調参照（ＤＭ  ＲＳ）リソースを備え、前記Ｅ−ＰＤＣＣＨリソースは、複数の制御チャネル・エレメントを備え、前記多重化ユニットにおける前記制御チャネル・エレメントの割り当てパターンは、ＤＭ  ＲＳポートにバインドされ、
前記ユーザ機器（ＵＥ）はさらに、前記多重化ユニットで受信したすべてのＤＭ  ＲＳを使用することによって、チャネル推定を実行するよう構成される、チャネル推定モジュールと、
前記チャネル推定の結果を使用することによって、前記多重化ユニットにおいて前記Ｅ−ＰＤＣＣＨリソースを使用して受信した前記信号を復調して、Ｅ−ＰＤＣＣＨを取得するよう構成される、復調モジュールとを備える、ユーザ機器（ＵＥ）。
【請求項２８】
下りリンク制御情報を伝送するためのシステムであって、前記システムは、請求項２４から２６のいずれか一項に記載の前記基地局、および請求項２７に記載の前記ユーザ機器（ＵＥ）を備えるシステム。
【発明の詳細な説明】
【技術分野】
【０００１】
本発明は、通信分野に関し、特に、拡張下りリンク制御チャネルを伝送するための方法、デバイス、およびシステムに関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ、第３世代パートナーシップ・プロジェクト）ＬＴＥ（Ｌｏｎｇ  Ｔｅｒｍ  Ｅｖｏｌｕｔｉｏｎ、ロング・ターム・エボリューション）／ＬＴＥ−Ａ  （ＬＴＥ−ａｄｖａｎｃｅｄ、ＬＴＥアドバンスト）システム、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、直交周波数分割多元接続）方法は、通常、下りリンク方向の多重アクセス方式において採用される。システムの下りリンク・リソースは、時間軸上においてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅ、直交周波数分割多元）シンボルに分割され、周波数軸上においてサブキャリアに分割される。
【０００３】
ＬＴＥリリース８／９／１０規格によれば、通常の下りリンク・サブフレームは、２つのスロット（ｓｌｏｔ）を備え、各スロットは、７個のＯＦＤＭシンボルを備え、通常の下りリンク・サブフレームは、合計１４個または１２個のＯＦＤＭシンボルを備え、ＲＢ（Ｒｅｓｏｕｒｃｅ  Ｂｌｏｃｋ、リソース・ブロック）のサイズは、ＲＢが周波数領域内で１２のサブキャリアを備え、時間領域内でサブフレーム期間の半分（１スロット）である、すなわち、７個または６個のＯＦＤＭシンボルを備えると定義され、ここで、通常の場合におけるＣＰ（Ｃｙｃｌｉｃ  Ｐｒｅｆｉｘ、巡回プレフィックス）のシンボル単位で表した長さはＯＦＤＭシンボル７個分であり、拡張巡回プレフィックスのシンボル単位で表した長さはＯＦＤＭシンボル６個分である。ＯＦＤＭシンボルにおけるサブキャリアは、ＲＥ（Ｒｅｓｏｕｒｃｅ  Ｅｌｅｍｅｎｔ、リソース・エレメント）と称され、１ＲＢは８４個または７２個のＲＥを備える。サブフレームにおいて、２つのスロットのＲＢのペアは、リソース・ブロック・ペア、すなわち、ＲＢペア（ＲＢ  ｐａｉｒ）と称される。
【０００４】
サブフレームで搬送されるさまざまなデータについて、サブフレームの物理的時間−周波数リソースを、さまざまな物理チャネルに分割することによって、マッピングが構成される。一般に、さまざまな物理チャネルには、２つのタイプがあり、これらは制御チャネルおよびサービス・チャネルの２つである。それに対応して、制御チャネルによって搬送されるデータは、制御データ（または、制御情報）と称されることがあり、一方、サービス・チャネルによって搬送されるデータは、サービス・データと称されることがある。通信の基本的な目的は、サービス・データを伝送することであり、制御チャネルの機能は、サービス・データの送信を補助することであり、そのため、通信システムの設計において、制御チャネルによって占められるリソースは、最小限に抑えるべきである。
【０００５】
一般に、ＯＦＤＭＡシステムにおいてサービス・データを伝送するために使用されるリソースは、ＵＥ（Ｕｓｅｒ  Ｅｑｕｉｐｍｅｎｔ、ユーザ機器）に柔軟に割り当てられ、各サブフレームによってＵＥに送信されるサービス・データによって占められるＲＢの数、および全システムにおける全ＲＢ内のＲＢの初期位置は、変更可能である。したがって、サービス・データがＵＥに送信された場合、当該ＵＥに送信されたサービス・データを当該ＵＥがどのＲＢを使用して受信すべきであるかを当該ＵＥに通知することが必要である。同様に、ＵＥに対して、各サブフレームによって採用され、サービス・データをＵＥに送信するための変調および符号化方式もまた変更可能であり、これもまた、ＵＥに通知される必要がある。ＲＡ（Ｒｅｓｏｕｒｃｅ  Ａｌｌｏｃａｔｉｏｎ、リソース割り当て）およびＭＣＳ（Ｍｏｄｕｌａｔｉｏｎ  ａｎｄ  Ｃｏｄｉｎｇ  Ｓｃｈｅｍｅ、変調および符号化方式）などの情報は、サービス・データの送信を補助または制御するためにあり、そのため、制御情報と称され、制御チャネルで伝送される。
【０００６】
ＬＴＥリリース８／９／１０規格によれば、全システムにおいて全ＲＢの中の前半部分を占める３個分のＯＦＤＭシンボルによって、サブフレームの制御チャネルが占められてもよい。スケジューリングなどの制御情報を搬送するＰＤＣＣＨ（Ｐｈｙｓｉｃａｌ  Ｄｏｗｎｌｉｎｋ  Ｃｏｎｔｒｏｌ  ＣＨａｎｎｅｌ、物理的下りリンク制御チャネル）を例に挙げると、完全ＰＤＣＣＨは、１つまたは複数のＣＣＥ（Ｃｏｎｔｒｏｌ  Ｃｈａｎｎｅｌ  Ｅｌｅｍｅｎｔ、制御チャネル・エレメント）によって形成され、ＣＣＥは９個分のＲＥＧ（Ｒｅｓｏｕｒｃｅ  Ｅｌｅｍｅｎｔ  Ｇｒｏｕｐ、リソース・エレメント・グループ）によって形成され、ＲＥＧは、４個分のＲＥを占める。ＬＴＥリリース８／９／１０によれば、ＰＤＣＣＨチャネルは、時間領域および周波数領域でほぼ均等に分散される、１、２、４、または８個分のＣＣＥによって形成することができる。現在のＬＴＥリリース８／９／１０では、ＰＤＣＣＨの復調は、ＣＲＳ（Ｃｏｍｍｏｎ  Ｒｅｆｅｒｅｎｃｅ  Ｓｉｇｎａｌ、共通参照信号）に基づく。ＬＴＥリリース１１では、１つのセル内におけるＵＥの個数を増やすことができ、そのため、ＰＤＣＣＨチャネルを拡張する必要があり、より多くのリソースをＰＤＣＣＨに割り当てる必要があり、もしくはＰＤＣＣＨの性能を向上する必要があり、それにより、１つのセル内においてより多くのＵＥのスケジューリングが可能となるようにシステムを適応させる。拡張ＰＤＣＣＨチャネルはまた、Ｅ−ＰＤＣＣＨ（ｅｎｈａｎｃｅｄ−ＰＤＣＣＨ）と称する可能性がある。
【発明の概要】
【発明が解決しようとする課題】
【０００７】
先行技術において、いくつかのＲＢペアは、ＰＤＳＣＨ（Ｐｈｙｓｉｃａｌ  Ｄｏｗｎｌｉｎｋ  Ｓｈａｒｅｄ  Ｃｈａｎｎｅｌ、物理的下りリンク共有チャネル）のエリアから分離され、Ｅ−ＰＤＣＣＨ制御情報が送信されるエリアとしての役割を果たし、粒度は、ＲＢペアを単位とする。しかしながら、ＰＤＣＣＨの基本単位はＣＣＥであり、ＲＢペアは、複数のＣＣＥのリソースと同等である可能性がある。したがって、Ｅ−ＰＤＣＣＨとしてＲＢペアを使用する基本ユニットの粒度は、非常に大きく、それにより、無駄なリソースが発生する。
【課題を解決するための手段】
【０００８】
先行技術の問題を解決するために、本発明の実施形態は、拡張下りリンク制御チャネルを伝送するための方法、デバイス、およびシステムを提供する。
【０００９】
一態様において、以下を備える拡張下りリンク制御チャネル（Ｅ−ＰＤＣＣＨ）を送信するための方法が提供される。すなわち、本方法は、
多重化ユニットを事前設定する動作を備え、ここで、前記多重化ユニットは、少なくとも１つのリソース・ブロック・ペアを備え、前記少なくとも１つのリソース・ブロック・ペアは、拡張下りリンク制御チャネル（Ｅ−ＰＤＣＣＨ）リソースならびに復調参照（ＤＭ  ＲＳ）リソースを備え、前記Ｅ−ＰＤＣＣＨリソースは、複数の制御チャネル・エレメントを備え、
本方法はさらに、前記事前設定された多重化ユニットの少なくとも１つの制御チャネル・エレメントにおいて、少なくとも１つのユーザ機器（ＵＥ）に対応する少なくとも１つのＥ−ＰＤＣＣＨを送信し、さらに、前記事前設定された多重化ユニットのＤＭ  ＲＳリソースにおいて、少なくとも１つのＵＥに対応するＤＭ  ＲＳを送信することを備え、
ここで、前記少なくとも１つのリソース・ブロック・ペアは、プレコーディング・リソース・ブロック・グループＰＲＧであり、ＰＲＧにおけるリソース・ブロックＲＢの数は、システム帯域幅によって決定される。
【００１０】
別の態様において、以下を備える拡張下りリンク制御チャネル（Ｅ−ＰＤＣＣＨ）を受信するための方法が提供される。すなわち、本方法は、
多重化ユニットで信号を受信することを備え、ここで、前記多重化ユニットは、少なくとも１つのリソース・ブロック・ペアを備え、前記少なくとも１つのリソース・ブロック・ペアは、拡張下りリンク制御チャネル（Ｅ−ＰＤＣＣＨ）リソースならびに復調参照（ＤＭ  ＲＳ）リソースを備え、Ｅ−ＰＤＣＣＨリソースは、複数の制御チャネル・エレメントを備え、
本方法はさらに、前記多重化ユニットで受信したすべてのＤＭ  ＲＳを使用することによって、チャネル推定を実行することと、
前記チャネル推定の結果を使用することによって、前記多重化ユニットにおいて前記Ｅ−ＰＤＣＣＨリソースで受信した信号を復調して、前記Ｅ−ＰＤＣＣＨを取得することとを備え、
ここで、前記少なくとも１つのリソース・ブロック・ペアは、プレコーディング・リソース・ブロック・グループ（ＰＲＧ）であり、ＰＲＧにおけるリソース・ブロックＲＢの個数は、システム帯域幅によって決定される。
【００１１】
別の態様において、以下を備える基地局が提供される。すなわち、前記基地局は、
多重化ユニットを事前設定するよう構成された、構成モジュールを備え、ここで、前記多重化ユニットは、少なくとも１つのリソース・ブロック・ペアを備え、前記少なくとも１つのリソース・ブロック・ペアは、拡張下りリンク制御チャネル（Ｅ−ＰＤＣＣＨ）リソースならびに復調参照（ＤＭ  ＲＳ）リソースを備え、前記Ｅ−ＰＤＣＣＨリソースは、複数の制御チャネル・エレメントを備え、
前記基地局はさらに、前記事前設定された多重化ユニットの少なくとも１つの制御チャネル・エレメントにおいて、少なくとも１つのユーザ機器（ＵＥ）に対応する少なくとも１つのＥ−ＰＤＣＣＨを送信し、さらに、前記事前設定された多重化ユニットのＤＭ  ＲＳリソースにおいて、少なくとも１つのＵＥに対応するＤＭ  ＲＳを送信するよう構成された、送信モジュールを備え、
ここで、前記少なくとも１つのリソース・ブロック・ペアは、プレコーディング・リソース・ブロック・グループＰＲＧであり、ＰＲＧにおけるリソース・ブロックＲＢの数は、システム帯域幅によって決定される。
【００１２】
別の態様において、以下を備えるユーザ機器（ＵＥ）が提供される。すなわち、ユーザ機器（ＵＥ）は、
多重化ユニットで信号を受信するよう構成された、受信モジュールを備え、ここで、前記多重化ユニットは、少なくとも１つのリソース・ブロック・ペアを備え、前記少なくとも１つのリソース・ブロック・ペアは、拡張下りリンク制御チャネル（Ｅ−ＰＤＣＣＨ）リソースならびに復調参照（ＤＭ  ＲＳ）リソースを備え、Ｅ−ＰＤＣＣＨリソースは、複数の制御チャネル・エレメントを備え、
ユーザ機器（ＵＥ）はさらに、前記多重化ユニットで受信したすべてのＤＭ  ＲＳを使用することによって、チャネル推定を実行するよう構成された、前記チャネル推定モジュールと、
前記チャネル推定の結果を使用することによって、前記多重化ユニットにおいてＥ−ＰＤＣＣＨリソースで受信した信号を復調して、Ｅ−ＰＤＣＣＨを取得するよう構成された、復調モジュールとを備え、
ここで、前記少なくとも１つのリソース・ブロック・ペアは、プレコーディング・リソース・ブロック・グループ（ＰＲＧ）であり、ＰＲＧにおけるリソース・ブロックＲＢの数は、システム帯域幅によって決定される。
【００１３】
別の態様において、拡張下りリンク制御チャネルを伝送するためのシステムが提供され、基地局およびユーザ機器（ＵＥ）を備える。
【００１４】
別の態様において、以下を備える拡張下りリンク制御チャネル（Ｅ−ＰＤＣＣＨ）を送信するための方法が提供される。すなわち、本方法は、
多重化ユニットを事前設定することを備え、ここで、前記多重化ユニットは、少なくとも１つのリソース・ブロック・ペアを備え、前記少なくとも１つのリソース・ブロック・ペアは、拡張下りリンク制御チャネル（Ｅ−ＰＤＣＣＨ）リソースならびに復調参照（ＤＭ  ＲＳ）リソースを備え、前記Ｅ−ＰＤＣＣＨリソースは、複数の制御チャネル・エレメントを備え、前記多重化ユニットにおける制御チャネル・エレメントの割り当てパターンは、ＤＭ  ＲＳポートにバインドされ、
本方法はさらに、前記事前設定された多重化ユニットの少なくとも１つの制御チャネル・エレメントにおいて、少なくとも１つのユーザ機器（ＵＥ）に対応する少なくとも１つのＥ−ＰＤＣＣＨを送信し、さらに、前記事前設定された多重化ユニットのＤＭ  ＲＳリソースにおいて、少なくとも１つのＵＥに対応するＤＭ  ＲＳを送信することを備える。
【００１５】
別の態様において、以下を備える拡張下りリンク制御チャネル（Ｅ−ＰＤＣＣＨ）を受信するための方法が提供される。すなわち、本方法は、
多重化ユニットで信号を受信することを備え、ここで、前記多重化ユニットは、少なくとも１つのリソース・ブロック・ペアを備え、前記少なくとも１つのリソース・ブロック・ペアは、拡張下りリンク制御チャネル（Ｅ−ＰＤＣＣＨ）リソースならびに復調参照（ＤＭ  ＲＳ）リソースを備え、前記Ｅ−ＰＤＣＣＨリソースは、複数の制御チャネル・エレメントを備え、前記多重化ユニットにおける制御チャネル・エレメントの割り当てパターンは、ＤＭ  ＲＳポートにバインドされ、
本方法はさらに、前記多重化ユニットで受信したすべてのＤＭ  ＲＳを使用することによって、チャネル推定を実行することと、
前記チャネル推定の結果を使用することによって、前記多重化ユニットにおいてＥ−ＰＤＣＣＨリソースで受信した信号を復調して、Ｅ−ＰＤＣＣＨを取得することとを備える。
【００１６】
別の態様において、以下を備える基地局が提供される。すなわち、前記基地局は、
多重化ユニットを事前設定するよう構成された、構成モジュールを備え、ここで、前記多重化ユニットは、少なくとも１つのリソース・ブロック・ペアを備え、前記少なくとも１つのリソース・ブロック・ペアは、拡張下りリンク制御チャネル（Ｅ−ＰＤＣＣＨ）リソースならびに復調参照（ＤＭ  ＲＳ）リソースを備え、前記Ｅ−ＰＤＣＣＨリソースは、複数の制御チャネル・エレメントを備え、前記多重化ユニットにおける制御チャネル・エレメントの割り当てパターンは、ＤＭ  ＲＳポートにバインドされ、
前記基地局はさらに、前記事前設定された多重化ユニットの少なくとも１つの制御チャネル・エレメントにおいて、少なくとも１つのユーザ機器（ＵＥ）に対応する少なくとも１つのＥ−ＰＤＣＣＨを送信し、さらに、前記事前設定された多重化ユニットのＤＭ  ＲＳリソースにおいて、少なくとも１つのＵＥに対応するＤＭ  ＲＳを送信するよう構成された、送信モジュールを備える。
【００１７】
別の態様において、以下を備えるユーザ機器（ＵＥ）が提供される。すなわち、ユーザ機器（ＵＥ）は、
多重化ユニットで信号を受信するよう構成された、受信モジュールを備え、ここで、前記多重化ユニットは、少なくとも１つのリソース・ブロック・ペアを備え、前記少なくとも１つのリソース・ブロック・ペアは、拡張下りリンク制御チャネル（Ｅ−ＰＤＣＣＨ）リソースならびに復調参照（ＤＭ  ＲＳ）リソースを備え、前記Ｅ−ＰＤＣＣＨリソースは、複数の制御チャネル・エレメントを備え、前記多重化ユニットにおける制御チャネル・エレメントの割り当てパターンは、ＤＭ  ＲＳポートにバインドされ、
ユーザ機器（ＵＥ）はさらに、前記多重化ユニットで受信したすべてのＤＭ  ＲＳを使用することによって、チャネル推定を実行するよう構成された、チャネル推定モジュールと、
前記チャネル推定の結果を使用することによって、前記多重化ユニットにおいてＥ−ＰＤＣＣＨリソースで受信した信号を復調して、Ｅ−ＰＤＣＣＨを取得するよう構成された、復調モジュールとを備える。
【００１８】
別の態様において、以下を備える拡張下りリンク制御チャネル（Ｅ−ＰＤＣＣＨ）を送信するための方法が提供される。すなわち、本方法は、
物理的リソース・ブロック・ペア・グループにおける少なくとも２つの物理的リソース・ブロック・ペアを決定することを備え、ここで、前記少なくとも２つの物理的リソース・ブロック・ペアは、拡張下りリンク制御チャネル（Ｅ−ＰＤＣＣＨ）と、前記Ｅ−ＰＤＣＣＨを復調するための復調参照（ＤＭ  ＲＳ）とを送信するために使用され、
本方法はさらに、同じプレコーディング行列を使用することによって、前記少なくとも２つの物理的リソース・ブロック・ペアを使用してＥ−ＰＤＣＣＨとＤＭ  ＲＳとをプレコーディングすることを備える。
【００１９】
別の態様において、以下を備える拡張下りリンク制御チャネル（Ｅ−ＰＤＣＣＨ）を受信するための方法が提供される。すなわち、本方法は、
ユーザ機器によって、基地局により送信された拡張下りリンク制御チャネル（Ｅ−ＰＤＣＣＨ）と、物理的リソース・ブロック・ペア・グループ内の少なくとも２つの物理的リソース・ブロック・ペアを使用して前記Ｅ−ＰＤＣＣＨを復調するための復調参照（ＤＭ  ＲＳ）とを受信することと、
前記ユーザ機器によって、前記基地局により使用された同じプレコーディング行列に従って、Ｅ−ＰＤＣＣＨと、前記少なくとも２つの物理的リソース・ブロック・ペアのＤＭ  ＲＳとをプレコーディングして、前記少なくとも２つの物理的リソース・ブロック・ペアのＤＭ  ＲＳを使用してチャネル推定を実行することと、
前記ユーザ機器によって、前記チャネル推定の結果に従い、前記少なくとも２つの物理的リソース・ブロック・ペア内の所定の位置においてＥ−ＰＤＣＣＨを検出することとを備える。
【００２０】
別の態様において、以下を備える基地局が提供される。すなわち、基地局は、
物理的リソース・ブロック・ペア・グループにおける少なくとも２つの物理的リソース・ブロック・ペアを決定するよう構成された、リソース決定ユニットを備え、ここで、前記少なくとも２つの物理的リソース・ブロック・ペアは、拡張下りリンク制御チャネル（Ｅ−ＰＤＣＣＨ）と、前記Ｅ−ＰＤＣＣＨを復調するための復調参照（ＤＭ  ＲＳ）とを送信するために使用され、
前記基地局はさらに、同じプレコーディング行列を使用することによってリソース決定ユニットにより決定された前記少なくとも２つの物理的リソース・ブロック・ペアを使用してＥ−ＰＤＣＣＨと、ＤＭ  ＲＳとをプレコーディングするよう構成された、プレコーディング・ユニットを備える。
【００２１】
別の態様において、以下を備えるユーザ機器が提供される。すなわち、前記ユーザ機器は、
基地局により送信された拡張下りリンク制御チャネル（Ｅ−ＰＤＣＣＨ）と、物理的リソース・ブロック・ペア・グループにおける少なくとも２つの物理的リソース・ブロック・ペアを使用して前記Ｅ−ＰＤＣＣＨを復調するための復調参照ＤＭ  ＲＳとを受信するよう構成された、受信ユニットと、
基地局によって使用された同じプレコーディング行列に従って、Ｅ−ＰＤＣＣＨと、少なくとも２つの物理的リソース・ブロック・ペアのＤＭ  ＲＳとをプレコーディングして、受信ユニットによって受信された前記少なくとも２つの物理的リソース・ブロック・ペアのＤＭ  ＲＳを使用してチャネル推定を実行するよう構成された、チャネル推定ユニットと、
前記チャネル推定ユニットによって取得された前記チャネル推定の結果に従い、前記少なくとも２つの物理的リソース・ブロック・ペア内の所定の位置において前記Ｅ−ＰＤＣＣＨを検出するよう構成された、検出ユニットとを備える。
【００２２】
本方法では、拡張下りリンク制御チャネル（Ｅ−ＰＤＣＣＨ）を伝送するデバイスおよびシステムが、本発明の実施形態によって提供され、多重化ユニットを複数の制御チャネル・エレメントに分割することによって、および少なくとも１つのＵＥに対応する少なくとも１つのＥ−ＰＤＣＣＨを送信することによって、各ＵＥに対して、拡張下りリンク制御チャネル（Ｅ−ＰＤＣＣＨ）の粒度が、制御チャネル・エレメント単位となるようにしている。従来技術におけるＲＢペア単位の粒度と比較すると、粒度の大きさは低減され、リソースの無駄がなくなり、下りリンク制御チャネルが拡張され、それにより、ＵＥが使用するためにより多くの制御チャネルを提供することができるようになる。
【００２３】
本発明の実施形態による技術的解決法をより明確に示すために、実施形態を説明するための添付図面を以下で簡潔に示す。明らかに、以下の説明における添付図面は、本発明のいくつかの実施形態のみを示し、当業者は、創意工夫することなく添付図面から他の図面を導出することができる。
【図面の簡単な説明】
【００２４】
【図１】本発明の一実施形態による、拡張下りリンク制御チャネルを送信するための方法のフローチャートである。
【図２】本発明の一実施形態による、拡張下りリンク制御チャネルを受信するための方法のフローチャートである。
【図３】本発明の一実施形態による、拡張下りリンク制御チャネルを送信するための方法の他のフローチャートである。
【図４】本発明の一実施形態による、多重化ユニットにおける制御チャネル・エレメントの分割を示す概略図である。
【図５】ＣＰ長が通常の長さであるＲＢペアにおけるＤＭ  ＲＳリソースの概略図である。
【図６】ＣＰ長が通常の長さであるＲＢペアにおけるＤＭ  ＲＳリソースの他の概略図である。
【図７】本発明の一実施形態による、２つのＵＥの時分割多重化の概略図である。
【図８】本発明の一実施形態による、２つのＵＥの周波数分割多重化の概略図である。
【図９ａ】本発明の一実施形態による、２つのＵＥの時間−周波数多重化の概略図である。
【図９ｂ】本発明の一実施形態による、２つのＵＥの時間−周波数多重化の概略図である。
【図１０ａ】本発明の一実施形態による、４つのＵＥの時間−周波数多重化の概略図である。
【図１０ｂ】本発明の一実施形態による、４つのＵＥの時間−周波数多重化の概略図である。
【図１０ｃ】本発明の一実施形態による、４つのＵＥの時間−周波数多重化の概略図である。
【図１０ｄ】多重化ユニットにおける制御チャネル・エレメントの割り当てパターンの概略図である。
【図１０ｅ】多重化ユニットにおける制御チャネル・エレメントの割り当てパターンと、ＤＭ  ＲＳポートとの間の結合関係の概略図である。
【図１０ｆ】多重化ユニットにおける制御チャネル・エレメントの割り当てパターンと、ＤＭ  ＲＳポートとの間の結合関係の他の概略図である。
【図１１】本発明の一実施形態による基地局の構造図である。
【図１２】本発明の一実施形態によるＵＥの構造図である。
【図１３】本発明の一実施形態による、拡張下りリンク制御チャネルを送信するための他の方法のフローチャートである。
【図１４】本発明の一実施形態による基地局の構造図である。
【図１５】本発明の一実施形態によるＵＥの構造図である。
【図１６】本発明の一実施形態による、拡張下りリンク制御チャネルを伝送するためのシステムの構造図である。
【発明を実施するための形態】
【００２５】
本発明の目的、技術的解決法、および利点をより理解しやすくするために、本発明の実施形態は、添付図面を参照して、以下に詳細に説明する。
【００２６】
図１を参照すると、本発明の一実施形態は、拡張下りリンク制御チャネル（Ｅ−ＰＤＣＣＨ）を送信するための方法を提供する。本発明に係る当該方法は、以下のステップを備える。
【００２７】
１０１：多重化ユニットを事前設定する。ここで、多重化ユニットは、少なくとも１つのリソース・ブロック・ペアを備え、当該少なくとも１つのリソース・ブロック・ペアは、Ｅ−ＰＤＣＣＨリソースとＤＭ  ＲＳリソースとを備え、Ｅ−ＰＤＣＣＨリソースは、複数の制御チャネル・エレメントを備える。
【００２８】
１０２：当該事前設定された多重化ユニットの少なくとも１つの制御チャネル・エレメントにおいて、少なくとも１つのＵＥに対応する少なくとも１つのＥ−ＰＤＣＣＨを送信し、さらに、当該事前設定された多重化ユニットのＤＭ  ＲＳリソースの少なくとも１つのＵＥに対応するＤＭ  ＲＳを送信する。
【００２９】
当該少なくとも１つのリソース・ブロック・ペアは、ＰＲＧ（Ｐｒｅｃｏｄｉｎｇ  Ｒｅｓｏｕｒｃｅ  ｂｌｏｃｋ  Ｇｒｏｕｐ、プレコーディング・リソース・ブロック・グループ）であり、ＰＲＧにおけるリソース・ブロックＲＢの個数は、システム帯域幅によって決定される。
【００３０】
当該多重化ユニットにおける複数の制御チャネル・エレメントの数は、ＵＥの個数に等しくすることができ、または等しくない個数とすることも可能であり、本発明の実施形態においてＵＥの個数は特に限定されない。例えば、多重化ユニットにおけるＥ−ＰＤＣＣＨリソースは、４つのＵＥ、すなわち、ＵＥ１、ＵＥ２、ＵＥ３、およびＵＥ４にそれぞれ対応して４つの制御チャネル・エレメントに分割されることが可能であり、多重化を実行した結果として、制御チャネル・エレメントが各ＵＥに割り当てられ、または、２つのＵＥ、すなわちＵＥ５およびＵＥ６に対して割り当てられ、多重化を実行した結果として、２つの制御チャネル・エレメントが各ＵＥに割り当てられる。
【００３１】
上述した送信方法の実行主体は、ｅＮＢ（高度化ＮｏｄｅＢ、発展型基地局）などの、基地局とすることができる。
【００３２】
図２を参照すると、本発明の他の実施形態は、拡張下りリンク制御チャネルを受信するための方法を提供する。本発明に係る当該方法は、以下のステップを備える。
【００３３】
２０１：多重化ユニットにより信号を受信する。ここで、当該多重化ユニットは、少なくとも１つのリソース・ブロック・ペアを備え、当該少なくとも１つのリソース・ブロック・ペアは、Ｅ−ＰＤＣＣＨリソースとＤＭ  ＲＳリソースとを備え、Ｅ−ＰＤＣＣＨリソースは、複数の制御チャネル・エレメントを備える。
【００３４】
２０２：当該多重化ユニットで受信したすべてのＤＭ  ＲＳを使用することによって、チャネル推定を実行する。
【００３５】
２０３：当該チャネル推定の結果を使用することによって、当該多重化ユニットにおいてＥ−ＰＤＣＣＨリソースを使用して受信した信号を復調して、当該Ｅ−ＰＤＣＣＨを取得する。
【００３６】
当該少なくとも１つのリソース・ブロック・ペアは、ＰＲＧであり、ＰＲＧにおけるリソース・ブロックＲＢの数は、システム帯域幅によって決定される。
【００３７】
上述した受信方法の実行主体は、具体的には、ＵＥとすることができる。
【００３８】
上記した２つの方法では、各ＵＥは、それぞれＥ−ＰＤＣＣＨおよびＤＭ  ＲＳを有し、Ｅ−ＰＤＣＣＨは、Ｅ−ＰＤＣＣＨリソースで伝送され、ＤＭ  ＲＳは、ＤＭ  ＲＳリソースで伝送される。
【００３９】
本発明の実施形態によって提供される、拡張下りリンク制御チャネル（Ｅ−ＰＤＣＣＨ）を送信する方法、および拡張下りリンク制御チャネル（Ｅ−ＰＤＣＣＨ）を受信する方法では、多重化ユニットを複数の制御チャネル・エレメントに分割することによって、および少なくとも１つのＵＥに対応する少なくとも１つのＥ−ＰＤＣＣＨを送信することによって、各ＵＥに対して、拡張下りリンク制御チャネルの粒度が、制御チャネル・エレメント単位となるようにしている。従来技術におけるＲＢペア単位の粒度と比較すると、粒度の大きさは低減され、リソースの無駄がなくなり、下りリンク制御チャネルが拡張され、それにより、ＵＥが使用するためにより多くの制御チャネルを提供することができるようになる。
【００４０】
図３を参照すると、本発明の他の実施形態は、拡張下りリンク制御チャネルを送信するための方法を提供する。本発明に係る当該方法は、以下のステップを備える。
【００４１】
３０１：基地局が、多重化ユニットを事前設定する。ここで、当該多重化ユニットは、少なくとも１つのリソース・ブロックＲＢペアにおいて、ＰＣＣＣＨリソース、ＣＲＳリソース、およびＣＳＩ  ＲＳ（Ｃｈａｎｎｅｌ−Ｓｔａｔｅ  Ｉｎｆｏｒｍａｔｉｏｎ  Ｒｅｆｅｒｅｎｃｅ  Ｓｉｇｎａｌ、チャネル状態情報参照信号）リソース以外のリソースによって形成され、多重化ユニットをＥ−ＰＤＣＣＨリソースおよびＤＭ  ＲＳリソースに分割し、時分割多重化、周波数分割多重化、または時間−周波数多重化に従って、Ｅ−ＰＤＣＣＨリソースを複数の制御チャネル・エレメントに分割する。
【００４２】
当該多重化ユニットは、２つのＲＢペア、３つのＲＢペア、または４つのＲＢペアなどの、少なくとも１つのＲＢペアを備え、当該多重化ユニットが備えるＲＢペアの個数は、本発明の実施形態において、特に限定されない。多重化ユニットの分割結果は、事前に、多重化パターン（パターン）の形式で、基地局側で構成および格納することができる。
【００４３】
図４を参照すると、図４は、多重化ユニットにおける複数の制御チャネル・エレメントの分割に関する概略図である。ＤＭ  ＲＳリソースを図４に示し、Ｅ−ＰＤＣＣＨリソースが複数の制御チャネル・エレメントを備える場合のみを一例として示す。２つのＲＢペアが多重化ユニットとして使用され、各ＲＢペアは、Ｅ−ＰＤＣＣＨリソースおよびＤＭ  ＲＳリソースを備え、Ｅ−ＰＤＣＣＨリソースは、４つの制御チャネル・エレメントに分割され、２つのＵＥ（ＵＥ１とＵＥ２）による通信を多重化するために、例えば、ＵＥ１が、ＲＢペア１において２つの制御チャネル・エレメントを占め、さらに、ＲＢペア２において２つの制御チャネル・エレメントを占め、ＵＥ２が、ＲＢペア１において２つの制御チャネル・エレメントを占め、さらに、ＲＢペア２において２つの制御チャネル・エレメントを占める。
【００４４】
本発明の実施形態において、Ｅ−ＰＤＣＣＨリソースは、ＤＭ  ＲＳリソース以外のリソースを意味する。ＲＢペアにおけるＤＭ  ＲＳリソースに含まれるＲＥの個数は、固定されず、そのため、Ｅ−ＰＤＣＣＨリソースに含まれるＲＥの個数も固定されず、その個数は、基地局によって構成されたＣＲＳポートの個数、およびＤＭ  ＲＳリソースに含まれるＲＥの個数に関連する。
【００４５】
この実施形態において、ＣＲＳポートは、ＣＲＳを伝送するために、基地局によって構成された論理ポートを意味し、基地局によって構成されたＣＲＳポートの個数は、１個、２個、または４個とすることができるが、その個数は特に限定されない。ＤＭ  ＲＳリソースは、１２個のＲＥまたは２４個のＲＥを備えることができるが、その個数は特に限定されない。ＤＭ  ＲＳリソースによって含まれるＲＥの個数は、ＤＭ  ＲＳポートの個数によって決定されてもよい。ＤＭ  ＲＳポートは、ＤＭ  ＲＳを伝送する基地局によって構成された論理ポートを意味し、ＣＲＳポートの個数は、２個または４個とすることができる。例えば、ＤＭ  ＲＳポートの個数が２個の場合、ＤＭ  ＲＳリソースは、１２個のＲＥを備え、ＤＭ  ＲＳポートの個数が４個の場合、ＤＭ  ＲＳリソースは、２４個のＲＥを備える。
【００４６】
表１を参照すると、表１は、ＤＭ  ＲＳリソースおよびＣＲＳポートにおけるＲＥの個数と、ＲＢペアにおいてデータを送信することができるＲＥの個数との間の対応関係である。通常のサブフレームを例に挙げると、サブフレームの前半部分を占める３個分のＯＦＤＭシンボルがＰＤＣＣＨであると仮定され、表１は、それぞれ異なる個数だけ構成されたＣＲＳおよびＤＭ  ＲＳポートの下で、ＲＢペアにおいてデータを送信することができるＲＥの数を示す。
【００４７】
【表１】
0005938100.tif 000002
【００４８】
例えば、ＣＲＳポートの個数が４個であり、ＤＭ  ＲＳリソースが１２個のＲＥを有し、通常のサブフレームの前半部分を占める３個分のＯＦＤＭシンボルがＰＤＣＣＨである場合、ＲＢペアは、合計１２×１４＝１６８個分のＲＥを備え、ＰＤＣＣＨが、合計で、サブフレームの前半部分を占める３個分のＯＦＤＭシンボルに相当する１２×３＝３６個分のＲＥを占め、ＤＭ  ＲＳが１２個のＲＥを占め、ＰＤＣＣＨエリア外のＣＲＳが１６個のＲＥを占め、そのため、ＲＢペアにおいてデータを送信することができるＲＥの個数は、表１の第３行に記載したように、１６８−３６−１２−１６＝１０４個となる。
【００４９】
この実施形態において、時分割多重化に従ってＥ−ＰＤＣＣＨリソースを分割することは、分割後に取得した複数の制御チャネル・エレメントが、例えば、１２個のキャリアを含む周波数領域において同じキャリアを占めるけれども、時間領域においては互いに異なるＯＦＤＭシンボルを占めることを意味する。周波数分割多重化に従ってＥ−ＰＤＣＣＨリソースを分割することは、分割後に取得される複数の制御チャネル・エレメントが、時間領域においては同じＯＦＤＭシンボルを備えるけれども、周波数領域においては互いに異なるキャリアを占めることを意味する。例えば、制御チャネル・エレメントは、周波数領域の前半部分を占める６個分のキャリアを占有し、他の制御チャネル・エレメントは、後半部分を占める６個分のキャリアを占有する。時間−周波数多重化に従ってＥ−ＰＤＣＣＨリソースを分割することは、分割後に取得される複数の制御チャネル・エレメントが、周波数領域において互いに異なるキャリアを占めると同時に、時間領域においても互いに異なるＯＦＤＭシンボルを占めることを意味する。
【００５０】
３０２：基地局は、多重化ユニットの少なくとも１つの制御チャネル・エレメントの少なくとも１つのＵＥに対応する少なくとも１つのＥ−ＰＤＣＣＨを送信する。
【００５１】
少なくとも１つのＵＥは、１つまたは複数のＵＥとすることができる。例えば、基地局は、１つのＵＥに対応する２つのＥ−ＰＤＣＣＨを送信し、一方は、上りリンク・スケジューリングの際に使用されるＥ−ＰＤＣＣＨであり、他方は、下りリンク・スケジューリングの際に使用されるＥ−ＰＤＣＣＨである。他の例において、基地局は、３つのＵＥにそれぞれ対応する３つのＥ−ＰＤＣＣＨを送信し、あるいは、基地局は、３つのＥ−ＰＤＣＣＨを送信し、その内の２つはＵＥ１に対応し、もう１つはＵＥ２に対応する。
【００５２】
具体的には、少なくとも１つのＵＥが複数のＵＥである場合、複数のＵＥのＥ−ＰＤＣＣＨが、時分割多重化、周波数分割多重化、または時間−周波数多重化に従って、多重化ユニットにおける複数の制御チャネル・エレメントの中に含まれる少なくとも２つの制御チャネル・エレメントにおいて送信される可能性があるが、本発明の実施形態において特に限定されない。
【００５３】
３０３：少なくとも１つのＵＥにおける各ＵＥについて、基地局は、多重化ユニットにおけるＵＥに割り当てられたＤＭ  ＲＳポートに対応するすべてのＤＭ  ＲＳ時間−周波数リソースで、ＵＥのＤＭ  ＲＳを送信するか、または、
ＵＥのＥ−ＰＤＣＣＨを搬送するＲＢペアにおけるＤＭ  ＲＳリソースで、ＵＥのＤＭ  ＲＳを送信する。
【００５４】
基地局は、事前にＤＭ  ＲＳポートをＵＥに割り当てることができ、ＵＥのＤＭ  ＲＳを送信する場合、基地局は、ＵＥに割り当てられたＤＭ  ＲＳポートに対応するすべてのＤＭ  ＲＳ時間−周波数リソースを使用して、ＵＥのＤＭ  ＲＳを送信する。複数のＵＥのＥ−ＰＤＣＣＨを送信することが必要な場合、基地局は、本発明に係る方法に従い、それらの各ＵＥに対して、ＵＥのＤＭ  ＲＳを送信する。例えば、基地局は、ＤＭ  ＲＳポートのポート７およびポート８を、それぞれ、ＵＥ１およびＵＥ２に割り当て、それにより、基地局は、ポート７のすべてのＤＭ  ＲＳ時間−周波数リソースを使用して、ＵＥ１のＤＭ  ＲＳを送信し、ポート８のすべてのＤＭ  ＲＳ時間−周波数リソースを使用して、ＵＥ２のＤＭ  ＲＳを送信する。
【００５５】
多重化ユニットについて、ＵＥのＥ−ＰＤＣＣＨは、多重化ユニットの１つのＲＢペアを使用して搬送することができ、多重化ユニットの複数のＲＢペアを使用して搬送することができ、または、すべてのＲＢペアを使用して搬送することもまた可能であり、それにより、基地局は、ＵＥのＥ−ＰＤＣＣＨを搬送するＲＢペアにおけるＤＭ  ＲＳリソースを使用してＵＥのＤＭ  ＲＳを送信することができ、および、ＵＥのＥ−ＰＤＣＣＨを搬送しないＲＢペアでは、ＵＥのＤＭ  ＲＳを送信しない。
【００５６】
さらに、この実施形態では、少なくとも１つのＵＥが、複数のＵＥである場合、異なるＤＭ  ＲＳポートを、複数のＵＥ対して割り当てることができ、または、同じＤＭ  ＲＳポートを、複数のＵＥの中に含まれる少なくとも２つのＵＥに割り当てることができる。
【００５７】
同じＤＭ  ＲＳポートを、複数のＵＥの中に含まれる少なくとも２つのＵＥに割り当てた場合、同じＤＭ  ＲＳポートを割り当てられた各ＵＥは、互いに異なるプレコーディング行列を使用することができるが、各ＵＥのＤＭ  ＲＳポートは、互いに干渉し、チャネル推定の効果が乏しくなる。あるいは、同じＤＭ  ＲＳポートを割り当てられたＵＥはまた、同じプレコーディング行列を使用してプレコーディングすることができるが、最適なプレコーディング行列を使用して各ＵＥにプレコーディングを行うことができず、最適なビームフォーミング利得（ｂｅａｍｆｏｒｍｉｎｇ  ｇａｉｎ）を取得することができない。したがって、異なるＤＭ  ＲＳポートを、複数のＵＥに割り当てることが好ましい。例えば、２つのＵＥが多重化を実行する場合、ＵＥ１に割り当てられるＤＭ  ＲＳポートはポート７（ｐｏｒｔ７）であり、ＵＥ２に割り当てられるＤＭ  ＲＳポートはポート８（ｐｏｒｔ８）であるが、本発明の実施形態においては、ポートの具体的な割り当て方法は特に限定されない。複数の異なるＵＥが互いに異なるＤＭ  ＲＳポートを使用する場合、各ＵＥにＥ−ＰＤＣＣＨを送信する際に、基地局は、最適なプレコーディング行列を使用して、各ユーザに対し、プレコーディングを行うことができる。
【００５８】
図５を参照すると、図５は、ＣＰ長が通常の長さであるＲＢペアにおけるＤＭ  ＲＳの概略図である。時間領域および周波数領域におけるＤＭ  ＲＳポート７および８の位置が与えられ、ＲＢペアは、１２個のＲＥのＤＭ  ＲＳリソースを備え、２つのポート、すなわち、ＤＭ  ＲＳポート７および８のＤＭ  ＲＳをサポートする。図６を参照すると、図６は、ＣＰ長が通常の長さであるＲＢペアにおけるＤＭ  ＲＳの他の概略図である。ＲＢペアは、２４個のＲＥのＤＭ  ＲＳリソースを備え、最大で８ポートのＤＭ  ＲＳをサポートすることができる。ポート７、８、１１、および１３は、横縞でマークされたＤＭ  ＲＳのＲＥで送信され、ポート９、１０、１２、および１４は、縦縞でマークされたＤＭ  ＲＳのＲＥで送信される。
【００５９】
この実施形態では、プレコーディング処理で基地局によって使用される拡散シーケンスを表２に示すことができ、表２は、通常のＣＰにおける拡散シーケンスである。例えば、ＤＭ  ＲＳポートがポート８である場合、拡散コードの長さは４であり、その拡散コードは［＋１，−１，＋１，−１］であり、偶数番目のスロットでの５番目の時間領域におけるＯＦＤＭシンボルでの周波数領域のＤＭ  ＲＳ位置において、ＤＭ  ＲＳ位置における対応するＤＭ  ＲＳパイロットは、
【００６０】
【数１】
0005938100.tif 000003
と掛け合わされ、偶数番目のスロットでの６番目の時間領域におけるＯＦＤＭシンボルでの周波数領域のＤＭ  ＲＳ位置において、ＤＭ  ＲＳ位置における対応するＤＭ  ＲＳパイロットは、
【００６１】
【数２】
0005938100.tif 000004
と掛け合わされ、奇数番目のスロットでの５番目の時間領域におけるＯＦＤＭシンボルでの周波数領域のＤＭ  ＲＳ位置において、ＤＭ  ＲＳ位置における対応するＤＭ  ＲＳパイロットは、
【００６２】
【数３】
0005938100.tif 000005
と掛け合わされ、奇数番目のスロットでの６番目の時間領域におけるＯＦＤＭシンボルでの周波数領域のＤＭ  ＲＳ位置において、ＤＭ  ＲＳ位置における対応するＤＭ  ＲＳパイロットは、
【００６３】
【数４】
0005938100.tif 000006
と掛け合わされる。
【００６４】
【表２】
0005938100.tif 000007
【００６５】
時間領域ならびに周波数領域の位置、およびＤＭ  ＲＳの対応する拡散シーケンスを通り、異なるＤＭ  ＲＳのポートが形成される。
【００６６】
この実施形態では、Ｅ−ＰＤＣＣＨリソースで時分割多重化、周波数分割多重化、または時間−周波数多重化を行うための上記した分割方法の任意の１つにおいて、分割後に取得される複数の制御チャネル・エレメントを、局所的に、または交互に分散させることができる。その具体例は、各図に関して以下のとおり後述する。
【００６７】
図７を参照すると、第１の例は、２つのＵＥの時分割多重化におけるＲＢペアの概略図である。多重化ユニットは、ＲＢペアを備え、多重化は、２つのＵＥ、すなわち、ＵＥ１およびＵＥ２で実行され、ＣＲＳポートの数は４個であり、ＤＭ  ＲＳリソースは、１２個のＲＥを備える。２つの制御チャネル・エレメントが時間領域における分割により取得され、ここで、第１の制御チャネル・エレメントは、時間領域方向に、第４、第６、第８、第１０、第１２、および第１４のＯＦＤＭシンボルを占め、第２の制御チャネル・エレメントは、時間領域方向に、第５、第７、第９、第１１、および第１３のＯＦＤＭシンボルを占め、交互に分散配置されたシンボル位置に属する。周波数領域では、どちらの制御チャネル・エレメントも１２個のキャリアを占め、同じキャリア・リソースを有する。第１の制御チャネル・エレメントが、ＵＥ１に割り当てられ、第２の制御チャネル・エレメントが、ＵＥ２に割り当てられ、それにより、ＰＤＣＣＨを拡張し、その結果、ＵＥ１およびＵＥ２のＥ−ＰＤＣＣＨ信号が、互いに異なるＯＦＤＭシンボルで交互に送信される。さらに、ＵＥ１およびＵＥ２のＤＭ  ＲＳポートは、それぞれ、ポート７およびポート８などの互いに異なるポートとして構成してもよい。
【００６８】
図８を参照すると、第２の例は、２つのＵＥの周波数分割多重化におけるＲＢペアの概略図である。多重化ユニットは、ＲＢペアを備え、２つのＵＥ、すなわち、ＵＥ１およびＵＥ２の多重化を行い、ＣＲＳポートの数は４個であり、ＤＭ  ＲＳリソースは、１２個のＲＥを備える。２つの制御チャネル・エレメントが周波数領域における分割により取得され、ここで、第１の制御チャネル・エレメントは、周波数領域方向に、周波数領域全体の後半部分を占める６個分のキャリアを占有し、第２の制御チャネル・エレメントは、周波数領域方向に、周波数領域全体の前半部分を占める６個分のキャリアを占有し、局所的に分散配置された周波数帯に属する。時間領域では、どちらの制御チャネル・エレメントも、１１個の同じＯＦＤＭシンボルを占め、同じ時間領域リソースを有する。第１の制御チャネル・エレメントがＵＥ１に割り当てられ、第２の制御チャネル・エレメントがＵＥ２に割り当てられ、それにより、ＰＤＣＣＨを拡張し、その結果、ＵＥ１およびＵＥ２のＥ−ＰＤＣＣＨ信号が互いに異なるキャリアで送信される。さらに、ＵＥ１およびＵＥ２のＤＭ  ＲＳポートは、それぞれ、ポート７およびポート８などの互いに異なるポートとして構成してもよい。当然、第１の制御チャネル・エレメントもまた、ＵＥ２に割り当てられて、周波数領域全体の後半部分を占める６つの周波数領域リソースを占有することができ、第２の制御チャネル・エレメントは、ＵＥ１に割り当てられて、周波数領域全体の前半部分を占める６つの周波数領域リソースを占めることができるが、本発明の実施形態において、特に限定されない。
【００６９】
図９ａおよび図９ｂを参照すると、第３の例は、２つのＵＥの時間−周波数多重化におけるＲＢペアの概略図である。上記した２つの例との違いは、ＲＢペアにおける２つの制御チャネル・エレメントが、時間領域において、互いに異なるリソースを占めること、および、周波数領域においても、互いに異なるリソースを占めることであり、時間領域と周波数領域の両方において交互に分散配置されたリソース位置に属する。図９ａを参照すると、各ＯＦＤＭシンボルに対応する縦の周波数領域のリソース・リストにおいて、最初にＵＥ１が来て、次にＵＥ２が来るという上から下への順で、制御チャネル・エレメントは、２つのＵＥに交互に割り当てられ、すなわち、各リストにおける１２のキャリアにおいて、パイロット・リソースが、ＣＲＳリソースおよびＤＭ  ＲＳリソースを含むことを除き、残りのキャリア・リソースは、最初にＵＥ１が来て、次にＵＥ２が来るという順で、交互に占められる。図９ｂを参照すると、まず、周波数領域が上から下への順であり、次いで、時間領域が左から右への順であり、最初にＵＥ１が来て、次にＵＥ２が来るという順で、制御チャネル・エレメントが割り当てられ、すなわち、図９ｂにおける第４のＯＦＤＭシンボルから開始すると、第４から第１４のＯＦＤＭシンボルへの順で、さらに各ＯＦＤＭシンボルに対応する周波数領域リソース・リストにおける上から下へのキャリア順で、パイロット・リソースを除くリソースが、交互に、ＵＥ１およびＵＥ２に割り当てられる。
【００７０】
図１０ａ、図１０ｂ、および図１０ｃを参照すると、第４の例は、４つのＵＥの時間−周波数多重化におけるＲＢペアの概略図である。上記した３つの例との違いは、多重化が４つのＵＥに対して実行され、ＤＭ  ＲＳが、２４個のＲＥと４つのポートを備え、４つのポートが、それぞれ、４つのＵＥに割り当てられることである。例えば、ＵＥ１、ＵＥ２、ＵＥ３、およびＵＥ４に割り当てられるポートは、それぞれ、ポート７、ポート８、ポート９、およびポート１０である。
【００７１】
図１０ａを参照すると、時分割多重化である第１の例と同様に、４つの制御チャネル・エレメントが、時間領域での分割により取得され、ＵＥ１、ＵＥ２、ＵＥ３、およびＵＥ４の順で交互に割り当てられ、ここで、ＵＥ１に割り当てられた第１の制御チャネル・エレメントは、時間領域方向に、第４、第８、および第１２のＯＦＤＭシンボルを占め、ＵＥ２に割り当てられた第２の制御チャネル・エレメントは、時間領域方向に、第５、第９、および第１３のＯＦＤＭシンボルを占め、ＵＥ３に割り当てられた第３の制御チャネル・エレメントは、時間領域方向に、第６、第１０、および第１４のＯＦＤＭシンボルを占め、ＵＥ４に割り当てられた第４の制御チャネル・エレメントは、時間領域方向に、第７および第１１のＯＦＤＭシンボルを占め、交互に分散配置されたシンボル位置に属する。
【００７２】
図１０ｂを参照すると、第２の例と同様に、時間−周波数多重化である。各ＯＦＤＭシンボルが配置された周波数領域リソース・リストは、２つの部分に分割され、それぞれ、２つのＵＥに割り当てられ、２つのＯＦＤＭシンボルは、４つのＵＥに割り当てられるグループとする。具体的には、第４のＯＦＤＭシンボルから開始すると、第４から第１４のＯＦＤＭシンボルの順に、すべての２つの隣接する周波数領域リソース・リストに対して、第１のリストは、ＵＥ１およびＵＥ２に割り当てられ、第２のリストは、ＵＥ３およびＵＥ４に割り当てられ、次いで、順に、交互に割り当てられる。
【００７３】
図１０ｃを参照すると、図９ｂにおける多重化と同様に、時間−周波数多重化である。まず、周波数領域が上から下への順であり、次に、時間領域が、左から右への順であり、ＵＥ１、ＵＥ２、ＵＥ３、からＵＥ４への順で、制御チャネル・エレメントが割り当てられ、すなわち、図において、第４のＯＦＤＭシンボルから開始すると、第４から第１４のＯＦＤＭシンボルの順で、各ＯＦＤＭシンボルに対応する周波数領域リソース・リストが、上から下へのキャリア順序に従って、パイロット・リソースを除くリソースが、ＵＥ１、ＵＥ２、ＵＥ３、およびＵＥ４に、交互に割り当てられる。
【００７４】
本発明の実施形態では、チャネル推定の性能を改善するために、複数のＲＢペアを多重化ユニットとして使用することができ、各ＲＢペア毎にＤＭ  ＲＳリソースを含む、多重化ユニットにおけるすべてのＤＭ  ＲＳリソースを使用して、複数のＵＥのパイロット信号が送信され、それにより、多重化ユニットにおけるすべてのＲＢペアのＤＭ  ＲＳを使用して、チャネル推定を実行する。ＲＢペアのみを使用してチャネル推定を行う場合と比較して、チャネル推定の性能は改善される。図４を例に挙げると、多重化ユニットは、２つのＲＢペアを備え、４つの制御チャネル・エレメントが、２つのＵＥに割り当てられる各ＲＢペアから分割することによって取得され、各ＵＥは、２つの制御チャネル・エレメントを占め、それにより、ＵＥ１およびＵＥ２のＤＭ  ＲＳ信号を、ＲＢペア１およびＲＢペア２のＤＭ  ＲＳリソースで送信することができる。具体的には、異なるＤＭ  ＲＳポートを使用して、それぞれ、ＵＥ１およびＵＥ２のＤＭ  ＲＳ信号を送信することができ、例えば、ＵＥ１は、ＤＭ  ＲＳポート７を使用し、ＵＥ２は、ＤＭ  ＲＳポート８を使用する。
【００７５】
この実施形態において、ＰＲＧは、多重化するための多重化ユニットとして使用され、ＰＲＧにおけるＲＢペアの数は、システム帯域幅によって決まる。システム帯域幅と、プレコーディング粒度との間の対応関係について、表３を参照することができる。
【００７６】
【表３】
0005938100.tif 000008
【００７７】
表３では、ＰＲＧのサイズは、対応するシステム帯域幅において、ＵＥに対し、いくつかのＲＢペアが、同じプレコーディング行列を使用してプレコードされることを示す。例えば、システム帯域幅が、２５個のＲＢである場合、ＰＲＧは２つのＲＢペアであり、２５個のＲＢのシステム帯域幅において、２つのＲＢペアが、それぞれ、同じプレコーディング行列を使用してプレコードされ、それにより、ＰＲＧにおける２つのＲＢペアが、多重化ユニットとして多重化され得る。ＰＲＧにおける分割によって取得された複数の制御チャネル・エレメントは、複数のＵＥを多重化するためのものであり、複数の異なるＵＥが、互いに異なる制御チャネル・エレメントを占める。ＵＥのＤＭ  ＲＳでは、ＵＥがＰＲＧにおいてＥ−ＰＤＣＣＨを伝送する限り、ＵＥのＤＭ  ＲＳ信号は、ＰＲＧにおけるすべてのＲＢペアにおいて送信することができ、または、ＵＥのＤＭ  ＲＳ信号は、ＰＲＧにおけるＵＥのＥ−ＰＤＣＣＨを搬送するＲＢペアにおいてのみ送信される。ＵＥのＤＭ  ＲＳ信号が、ＰＲＧにおける各ＰＲＢを使用して送信される場合、結合的なチャネル推定処理を複数のＰＲＢを使用して行うことができ、それにより、チャネル推定の性能を改善する。
【００７８】
本発明の実施形態では、多重化ユニットから分割することによって取得された制御チャネル・エレメントの数、および、ＵＥによってマッピングされた制御チャネル・エレメントならびにＤＭ  ＲＳポートなどの情報は、シグナリングを通じて基地局によってＵＥに通知することができ、シグナリング通知は、ＲＲＣ（Ｒａｄｉｏ  Ｒｅｓｏｕｒｃｅ  Ｃｏｎｔｒｏｌ、無線リソース制御）シグナリングによる準静的な通知とすることができ、または、多重化ユニットにおける制御チャネル・エレメントの割り当てパターンはまた、ＤＭ  ＲＳポートにバインドすることができ、結合関係は、基地局側ならびにＵＥ側において割り当てられ、構成される。例えば、図７を例に挙げると、パターンの割り当て解が使用され、ＵＥ１は、ＤＭ  ＲＳポート７にバインドされ、ＵＥ２は、ＤＭ  ＲＳポート８にバインドされ、そのため、基地局は、再び別々にＵＥに通知する必要がなくなる。
【００７９】
この実施形態の任意選択的な実装方法では、Ｅ−ＰＤＣＣＨの集約レベルは、１、２、４、または８とすることができ、すなわち、Ｅ−ＰＤＣＣＨは、１、２、４、または８つの制御チャネル・エレメントによって伝送することができる。Ｅ−ＰＤＣＣＨは、局所（Ｌｏｃａｌｉｚｅｄ）Ｅ−ＰＤＣＣＨと分散（Ｄｉｓｔｒｉｂｕｔｅｄ）Ｅ−ＰＤＣＣＨとに分割することができる。分散Ｅ−ＰＤＣＣＨは、送信ダイバーシチ方式で送信することができ、局所Ｅ−ＰＤＣＣＨは、プレコーディングまたはビーム・アタッチメント方式で送信することができる。本実装方式において、局所Ｅ−ＰＤＣＣＨについて、さらに説明する。
【００８０】
図１０ｄを参照すると、図１０ｄは、多重化ユニットにおける制御チャネル・エレメントの割り当てパターンを示す。図１０ｄは、多重化ユニットにおけるＲＢペアのみを示す。多重化ユニットにおける各ＲＢペアは、複数の制御チャネル・エレメントを備えることができる。例えば、図１０ｄに示す制御チャネル・エレメントの割り当てパターンは、制御チャネル・エレメントｅＣＣＥ０からｅＣＣＥ３を備える。図１０ｄに示す割り当てパターンにおいて、ＲＢペアの１２個のサブキャリアは、４つの部分に分割され、１つの部分が３つのサブキャリアを占めることに留意されたい。各制御チャネル・エレメントは、３つのサブキャリアを占め、時間領域において、ｋ（ｋは整数）のＯＦＤＭシンボルを占める。しかしながら、この実施形態は、ＲＢペアを４つの制御チャネル・エレメントに分割することに限定されず、ＲＢペアから複数の制御チャネル・エレメントに分割してもよい。
【００８１】
多重化ユニットにおける制御チャネル・エレメントの割り当てパターンと、ＤＭ  ＲＳポートとの間の結合関係は、ｅＣＣＥ０がＤＭ  ＲＳポート７にバインドされ、ｅＣＣＥ１がＤＭ  ＲＳポート８にバインドされ、ｅＣＣＥ２がＤＭ  ＲＳポート９にバインドされ、およびｅＣＣＥ３がＤＭ  ＲＳポート１０にバインドされることとすることができる。送信されるＥ−ＰＤＣＣＨの集約レベルが１の場合、図１０ｄに示す制御チャネル・エレメントの割り当てパターンにおいて、第１のＥ−ＰＤＣＣＨはｅＣＣＥ０で送信することができ、第１のＥ−ＰＤＣＣＨに対応するＤＭ  ＲＳは、ＤＭ  ＲＳポート７で送信することができ、第２のＥ−ＰＤＣＣＨはｅＣＣＥ１で送信することができ、第２のＥ−ＰＤＣＣＨに対応するＤＭ  ＲＳは、ＤＭ  ＲＳポート８によって送信することができる。
【００８２】
同じポートをＲＢペアにおけるＥ−ＰＤＣＣＨに対して使用することができるとすると、Ｅ−ＰＤＣＣＨの集約レベルは１より大きくなる可能性があり、例えば、集約レベルは２となる可能性があり、多重化ユニットにおける制御チャネル・エレメントの割り当てパターンと、ＤＭ  ＲＳポートとの間の結合関係は、ｅＣＣＥ０とｅＣＣＥ１とがＤＭ  ＲＳポートｘにバインドされ、ｅＣＣＥ２とｅＣＣＥ３とがＤＭ  ＲＳポートｙにバインドされる可能性がある。このようにして、送信されるＥ−ＰＤＣＣＨの集約レベルが２の場合、図１０ｅに示す制御チャネル・エレメントの割り当てパターンにおいて、第１のＥ−ＰＤＣＣＨはｅＣＣＥ０およびｅＣＣＥ１を使用して送信することができ、第１のＥ−ＰＤＣＣＨに対応するＤＭ  ＲＳは、ＤＭ  ＲＳポートｘを使用して送信することができ、第２のＥ−ＰＤＣＣＨはｅＣＣＥ２およびｅＣＣＥ３を使用して送信することができ、第２のＥ−ＰＤＣＣＨに対応するＤＭ  ＲＳは、ＤＭ  ＲＳポートｙを使用して送信することができる。ＤＭ  ＲＳポートｘおよびｙは、ＤＭ  ＲＳポート７、８、９、および１０の任意の１つとすることができ、ポートｘおよびポートｙは、別々のポートとすることができる。
【００８３】
図１０ｅを参照すると、図１０ｅは、多重化ユニットにおける制御チャネル・エレメントの割り当てパターンと、ＤＭ  ＲＳポートとの間の結合関係を示す。さらに、一例としてＲＢペアが４つの制御チャネル・エレメントを備える場合、すなわち、ＲＢペアｎが、制御チャネル・エレメントｅＣＣＥ０からｅＣＣＥ３を備える場合を例に挙げると、ＲＢペア（ｎ＋１）は、制御チャネル・エレメントｅＣＣＥ４からｅＣＣＥ７を備える。Ｅ−ＰＤＣＣＨの集約レベルが１より大きい場合、例えば、集約レベルが４の場合、複数のＲＢペアを占めることが必要になる場合がある。したがって、多重化ユニットにおける制御チャネル・エレメントの割り当てパターンと、ＤＭ  ＲＳポートとの間の結合関係においては、さらに、ｅＣＣＥ０がＤＭ  ＲＳポート７にバインドされ、ｅＣＣＥ１がＤＭ  ＲＳポート８にバインドされ、ｅＣＣＥ２からｅＣＣＥ５がＤＭ  ＲＳポートｘにバインドされ、ｅＣＣＥ６がＤＭ  ＲＳポート９にバインドされ、ｅＣＣＥ７がＤＭ  ＲＳポート１０にバインドされるという場合が生じ得る。ｅＣＣＥ０、ｅＣＣＥ１、ｅＣＣＥ６、およびｅＣＣＥ７を使用して、集約レベルが１であるＥ−ＰＤＣＣＨを送信することができ、対応するバインドされたＤＭ  ＲＳポート７から１０でＤＭ  ＲＳを送信することができる。ｅＣＣＥ２からｅＣＣＥ５を使用して、集約レベルが４であるＥ−ＰＤＣＣＨを送信することができ、対応するバインドされたＤＭ  ＲＳポートｘでＤＭ  ＲＳを送信することができる。ＤＭ  ＲＳポートｘは、ＤＭ  ＲＳポート７、８、９、または１０としてもよい。
【００８４】
例えば、ユーザＵＥ３の集約レベルが４の場合、ＵＥ３のＥ−ＰＤＣＣＨは、ＲＢペアｎおよびＲＢペア（ｎ＋１）のｅＣＣＥ２からｅＣＣＥ５で送信することができる。さらに、集約レベルが１であるＵＥ１のＥ−ＰＤＣＣＨは、ＲＢペアｎのｅＣＣＥ０で送信され、ＵＥ１は、ＤＭ  ＲＳポート７で受信されたＤＭ  ＲＳを使用することによってチャネル推定を行い、集約レベルが１であるＵＥ２のＥ−ＰＤＣＣＨは、ＲＢペアｎのｅＣＣＥ１で送信され、ＵＥ２は、ＤＭ  ＲＳポート８によって受信されたＤＭ  ＲＳを使用することによってチャネル推定を行い、集約レベルが１であるＵＥ４のＥ−ＰＤＣＣＨは、ＲＢペア（ｎ＋１）のｅＣＣＥ６で送信され、ＵＥ４は、ＤＭ  ＲＳポート９で受信されたＤＭ  ＲＳを使用することによってチャネル推定を行い、集約レベルが１であるＵＥ５のＥ−ＰＤＣＣＨは、ＲＢペア（ｎ＋１）のｅＣＣＥ７で送信され、ＵＥ５は、ＤＭ  ＲＳポート１０で受信されたＤＭ  ＲＳを使用することによってチャネル推定を行う。ＵＥ３では、ｅＣＣＥ２からｅＣＣＥ５にバインドされたＤＭ  ＲＳポートが７または８である場合、ＵＥ３は、ＤＭ  ＲＳポート７または８で受信されたＤＭ  ＲＳを使用することによってチャネル推定を行う必要があるが、ＵＥ３によって使用されるＤＭ  ＲＳポートは、第ｎのＲＢペアにおいてＵＥ１またはＵＥ２のＤＭ  ＲＳポートと競合する。ｅＣＣＥ２からｅＣＣＥ５にバインドされたＤＭ  ＲＳポートが９または１０である場合、ＵＥ３によって使用されるＤＭ  ＲＳポートは、第（ｎ＋１）のＲＢペアにおいてＵＥ４またはＵＥ５のＤＭ  ＲＳポートと競合する。
【００８５】
上記した競合を避けるための方法の１つは、集約レベルが４であるＵＥ３のＥ−ＰＤＣＣＨがポート９を使用する場合、集約レベルが１である他のユーザのＥ−ＰＤＣＣＨが、ＲＢペア（ｎ＋１）のｅＣＣＥ６で搬送されないようにすることである。
【００８６】
図１０ｆを参照すると、図１０ｆは、他の多重化ユニットにおける制御チャネル・エレメントの割り当てパターンと、ＤＭ  ＲＳポートとの間の結合関係を示す。図１０ｆに示す結合関係と、図１０ｅに示す結合関係との間における相違点は、ｅＣＣＥ２からｅＣＣＥ３がＤＭ  ＲＳポート９または１０にバインドされ、ｅＣＣＥ４からｅＣＣＥ５がＤＭ  ＲＳポート７または８にバインドされる点である。ユーザＵＥ３の集約レベルが４の場合、ＵＥ３のＥ−ＰＤＣＣＨは、ＲＢペアｎおよびＲＢペア（ｎ＋１）のｅＣＣＥ２からｅＣＣＥ５で送信することができる。この時点で、ＤＭ  ＲＳポート９または１０を使用して、ｅＣＣＥ２およびｅＣＣＥ３に対応するＤＭ  ＲＳを送信し、ＤＭ  ＲＳポート７または８を使用して、ｅＣＣＥ４およびｅＣＣＥ５に対応するＤＭ  ＲＳを送信する。このようにして、ＵＥ３は、ＲＢペアｎおよび（ｎ＋１）において他のＵＥのＤＭ  ＲＳポートと競合しなくなる。
【００８７】
図３に示した拡張下りリンク制御チャネルを送信する方法に基づいて、拡張下りリンク制御チャネルの受信は、図２に示した方法を採用することによって実行してもよい。具体的な処理は、上記した実施形態での説明と同じであるため、本明細書では再び繰り返さない。
【００８８】
本発明の実施形態によって提供される拡張下りリンク制御チャネルを送信する方法において、多重化ユニットを複数の制御チャネル・エレメントに分割することによって、および少なくとも１つのＵＥの少なくとも１つのＥ−ＰＤＣＣＨを送信することによって、各ＵＥに対して、拡張下りリンク制御チャネルの粒度が、制御チャネル・エレメントとなる。従来技術におけるＲＢペアの粒度と比較すると、粒度は低減され、リソースの無駄がなくなり、下りリンク制御チャネルが拡張され、それにより、ＵＥが使用するためにより多くの制御チャネルを提供する。多重化ユニットは、時分割多重化、周波数分割多重化、または時間−周波数多重化を使用して複数の制御チャネル・エレメントに分割することができ、複数の制御チャネル・エレメントは、さまざまな実装方式において局所的に、または交互に分散配置することができ、本用途は、柔軟であり、簡便である。
【００８９】
上記の実施形態は、ＵＥのＥ−ＰＤＣＣＨが、ただ１つの層を通じて伝送されるというシナリオであり、本発明の実施形態は、さらに、ＵＥのＥ−ＰＤＣＣＨが、複数の層を通じて伝送されるというシナリオに適用することができる。例えば、ＵＥ１に対する２層伝送において、ＵＥ１は、２つの層のチャネルを推定するために、それぞれ、２つのＤＭ  ＲＳポートのパイロットを必要とし、ＤＭ  ＲＳポート７およびＤＭ  ＲＳポート８をＵＥ１に割り当てることができ、他のＵＥがＵＥ１と多重化する必要がある場合、異なるＤＭ  ＲＳポートを他のＵＥに対して使用することができる。
【００９０】
図１１を参照すると、本発明の他の実施形態は、基地局を提供する。基地局は、
多重化ユニットを事前設定するよう構成された、構成モジュール１１０１を備え、ここで、多重化ユニットは、少なくとも１つのリソース・ブロック・ペアを備え、少なくとも１つのリソース・ブロック・ペアは、拡張下りリンク制御チャネル（Ｅ−ＰＤＣＣＨ）リソースならびに復調参照（ＤＭ  ＲＳ）リソースを備え、Ｅ−ＰＤＣＣＨリソースは、複数の制御チャネル・エレメントを備え、
基地局はさらに、事前設定された多重化ユニットの少なくとも１つの制御チャネル・エレメントにおいて、少なくとも１つのＵＥに対応する少なくとも１つのＥ−ＰＤＣＣＨを送信し、さらに、事前設定された多重化ユニットのＤＭ  ＲＳリソースの少なくとも１つのＵＥに対応するＤＭ  ＲＳを送信するよう構成された、送信モジュール１１０２を備え、
少なくとも１つのリソース・ブロック・ペアは、ＰＲＧであり、ＰＲＧにおけるリソース・ブロックＲＢの個数は、システム帯域幅によって決定される。
【００９１】
この実施形態では、送信モジュール１１０２は、
少なくとも１つのＵＥが複数のＵＥである場合、時分割多重化、または周波数分割多重化、または時間−周波数多重化に従って、複数の制御チャネル・エレメントの少なくとも２つの制御チャネル・エレメントで複数のＵＥに対応するＥ−ＰＤＣＣＨを送信するよう構成された、第１の送信ユニットを備えることができる。
【００９２】
あるいは、送信モジュール１１０２は、
少なくとも１つのＵＥの中の各ＵＥについて、事前設定された多重化ユニットにおいてＵＥに割り当てられたＤＭ  ＲＳポートに対応するすべてのＤＭ  ＲＳ時間−周波数リソースを使用してＵＥのＤＭ  ＲＳを送信するか、または、ＵＥのＥ−ＰＤＣＣＨを搬送するリソース・ブロック・ペアにおけるＤＭ  ＲＳリソースを使用して、ＵＥのＤＭ  ＲＳを送信するよう構成された、第２の送信ユニットを備える。
【００９３】
さらに、この実施形態では、構成モジュールは、少なくとも１つのＵＥが複数のＵＥである場合、複数のＵＥに異なるＤＭ  ＲＳポートが割り当てるか、または、複数のＵＥの少なくとも２つのＵＥに同じＤＭ  ＲＳポートが割り当てるようさらに構成される。
【００９４】
構成モジュールが、複数のＵＥに異なるＤＭ  ＲＳポートを割り当てる場合、送信モジュール１１０２は、
周波数分割多重化、コード分割多重化、または周波数分割ならびにコード分割多重化に従って、複数のＵＥのＤＭ  ＲＳを送信するよう構成された、第３の送信ユニットを備えることができる。
【００９５】
この実施形態では、少なくとも１つのＵＥが複数のＵＥであり、ＤＭ  ＲＳポートが複数のＵＥに割り当てられた場合、送信モジュール１１０２は、さらに、複数のＵＥに割り当てられたＤＭ  ＲＳポートについて、無線リソース制御（ＲＲＣ）シグナリングを通じて複数のＵＥに通知するよう構成することができるか、または、構成モジュールは、さらに、ＤＭ  ＲＳポートと、多重化ユニットの割り当てパターンとの間の結合関係を事前に構成するよう構成され、ここで、結合関係はまた、ＵＥ側で構成される。
【００９６】
この実施形態において、構成モジュール１１０１は、時分割多重化、周波数分割多重化、または時間−周波数多重化に従いＥ−ＰＤＣＣＨリソースを分割することによって、複数の制御チャネル・エレメントを取得するよう構成することができる。
【００９７】
この実施形態では、多重化ユニットは、少なくとも１つのリソース・ブロック・ペアにおいて、ＰＤＣＣＨリソース、ＣＲＳリソース、およびＣＳＩ  ＲＳリソース以外のリソースにより形成することができる。
【００９８】
この実施形態では、多重化ユニットから分割することによって取得された制御チャネル・エレメントの数、および、ＵＥによってマッピングされた制御チャネル・エレメントならびにＤＭ  ＲＳポートなどの情報は、シグナリングを通じて基地局によってＵＥに通知することができ、シグナリング通知は、ＲＲＣシグナリング・セミスタティック通知とすることができ、または、多重化ユニットにおける制御チャネル・エレメントの割り当てパターンはまた、ＤＭ  ＲＳポートにバインドすることができ、結合関係は、基地局側ならびにＵＥ側において割り当てられ、構成され、それにより、基地局は、再び別々にＵＥに通知する必要がなくなる。
【００９９】
この実施形態での基地局は、ｅＮＢとすることができるが、本発明の実施形態において、特に限定されない。
【０１００】
本発明の実施形態によって提供される基地局では、多重化ユニットを複数の制御チャネル・エレメントに分割することによって、および少なくとも１つのＵＥの少なくとも１つのＥ−ＰＤＣＣＨを送信することによって、各ＵＥに対して、拡張下りリンク制御チャネルの粒度が、制御チャネル・エレメントとなる。従来技術におけるＲＢペアの粒度と比較すると、粒度は低減され、リソースの無駄がなくなり、下りリンク制御チャネルが拡張され、それにより、ＵＥが使用するためにより多くの制御チャネルを提供する。多重化ユニットは、時分割多重化、または周波数分割多重化、または時間−周波数多重化で複数の制御チャネル・エレメントに分割することができ、複数の制御チャネル・エレメントは、さまざまな実装方式において局所的に、または交互に分散配置することができ、本用途は、柔軟であり、簡便である。
【０１０１】
図１２を参照すると、本発明の他の実施形態は、ユーザ機器（ＵＥ）を提供する。ユーザ機器（ＵＥ）は、
多重化ユニットで信号を受信するよう構成された、受信モジュール１２０１を備え、ここで、多重化ユニットは、少なくとも１つのリソース・ブロック・ペアを備え、少なくとも１つのリソース・ブロック・ペアは、拡張下りリンク制御チャネル（Ｅ−ＰＤＣＣＨ）リソースならびに復調参照（ＤＭ  ＲＳ）リソースを備え、Ｅ−ＰＤＣＣＨリソースは、複数の制御チャネル・エレメントを備え、
ユーザ機器（ＵＥ）はさらに、多重化ユニットで受信したすべてのＤＭ  ＲＳを使用することによって、チャネル推定を実行するよう構成された、チャネル推定モジュール１２０２と、
チャネル推定の結果を使用することによって、多重化ユニットにおいてＥ−ＰＤＣＣＨリソースで受信した信号を復調して、Ｅ−ＰＤＣＣＨを取得するよう構成された、復調モジュール１２０３とを備え、
少なくとも１つのリソース・ブロック・ペアは、ＰＲＧであり、ＰＲＧにおけるリソース・ブロックＲＢの個数は、システム帯域幅によって決定される。
【０１０２】
この実施形態に含まれる多重化ユニットの構成および分割は、上記した方法の実施形態での説明と同じであるため、本明細書では再び繰り返さない。
【０１０３】
この実施形態では、ＵＥは、多重化ユニットから分割することによって取得された制御チャネル・エレメントの数と、基地局によって送信されたシグナリング、例えば、ＲＲＣシグナリングを受信することによって、ＵＥによりマッピングされた制御チャネル・エレメントならびにＤＭ  ＲＳポートなどの情報を取得することができ、または、多重化ユニットにおける制御チャネル・エレメントの割り当てパターンはまた、事前にＤＭ  ＲＳポートにバインドすることができ、結合関係は、基地局側ならびにＵＥ側で割り当てならびに構成され、それにより、基地局は、再び別々にＵＥに通知する必要がなくなる。
【０１０４】
本発明の実施形態によって提供されるＵＥは、多重化ユニットにおいて信号を受信し、すべてのＤＭ  ＲＳ信号を使用して、チャネル推定を行い、チャネル推定の結果を使用して、多重化ユニットにおけるＥ−ＰＤＣＣＨリソースで受信された信号を復調し、それにより、ＵＥのＥ−ＰＤＣＣＨを取得する。ＵＥの拡張下りリンク制御チャネルの粒度は、制御チャネル・エレメントである。従来技術と比較すると、粒度は低減され、リソースの無駄がなくなり、下りリンク制御チャネルが拡張され、それにより、ＵＥが使用するためにより多くの制御チャネルを提供する。
【０１０５】
図１３を参照すると、図１３は、本発明の実施形態による、拡張下りリンク制御チャネルを送信するための他の方法のフローチャートである。この実施形態の技術用語について、本発明の他の実施形態を参照することができる。この実施形態によって提供される拡張下りリンク制御チャネルを送信するための方法は、以下のステップを含む。
【０１０６】
４０１：基地局が、物理的リソース・ブロック（Ｐｈｙｓｉｃａｌ  Ｒｅｓｏｕｒｃｅ  Ｂｌｏｃｋ、ＰＲＢ）ペア・グループにおける少なくとも２つのＰＲＢペアを決定し、ここで、少なくとも２つのＰＲＢペアは、拡張下りリンク制御チャネルＥ−ＰＤＣＣＨと、Ｅ−ＰＤＣＣＨを復調するための復調参照（ＤＭ  ＲＳ）とを送信するために使用される。
【０１０７】
この実施形態の実装方式では、ＰＲＢペア・グループは、複数の連続するＰＲＢペアによって形成されるか、またはＰＲＢペア・グループは、プレコーディング・リソース・ブロック・グループＰＲＧであり、ＰＲＧにおけるＰＲＢの数は、システム帯域幅により決定される。
【０１０８】
この実施形態の実装方式では、Ｅ−ＰＤＣＣＨは、ＵＥに送信されるＥ−ＰＤＣＣＨとすることができ、または、複数のＵＥにブロードキャストされるＥ−ＰＤＣＣＨとすることができる。
【０１０９】
この実施形態の実装方式では、少なくとも２つのＰＲＢペアを、ＰＲＢペア・グループにおいて、非連続的なＰＲＢペアまたは連続的なＰＲＢペアとすることができる。例えば、少なくとも２つのＰＲＢペアは、図１０ｅまたは図１０ｆにおいて、ＲＢペアｎおよびＲＢペア（ｎ＋１）とすることができ、例えば、Ｅ−ＰＤＣＣＨは、集約レベルが４であり、ｅＣＣＥ２からｅＣＣＥ５で送信される、ＵＥ３のＥ−ＰＤＣＣＨとすることができる。
【０１１０】
４０２：基地局が、ＤＭ  ＲＳを送信するＤＭ  ＲＳポートを決定する。
【０１１１】
ＲＢペアｎおよびＲＢペア（ｎ＋１）におけるＥ−ＰＤＣＣＨに対応するＤＭ  ＲＳポートのポート番号は、同じポート番号としてもよく、別々のポート番号としてもよい。例えば、図１０ｆに示すように、ｅＣＣＥ２からｅＣＣＥ３で伝送されたＥ−ＰＤＣＣＨを復調するために使用されるＤＭ  ＲＳは、ＤＭ  ＲＳポート９または１０を使用して送信され、ｅＣＣＥ４からｅＣＣＥ５で伝送されたＥ−ＰＤＣＣＨを復調するために使用されるＤＭ  ＲＳは、ＤＭ  ＲＳポート７または８を使用して送信される。他の例に対して前記した実施形態を参照することができるため、詳細は、本明細書では再び繰り返さない。
【０１１２】
この実施形態の実装方式では、Ｅ−ＰＤＣＣＨが単一層で伝送された場合、ＤＭ  ＲＳを送信するＤＭ  ＲＳポートを決定することは、少なくとも２つのＰＲＢペアの各ＰＲＢペアにおいて、１つのＤＭ  ＲＳポートを決定することを含み、Ｅ−ＰＤＣＣＨが２つの層で伝送された場合、ＤＭ  ＲＳを送信するＤＭ  ＲＳポートを決定することは、少なくとも２つのＰＲＢペアの各ＰＲＢペアにおいて、第１のＤＭ  ＲＳポートと、第２のＤＭ  ＲＳポートとを決定することを含む。
【０１１３】
４０３：基地局は、同じプレコーディング行列を使用することによって、少なくとも２つのＰＲＢペアでＥ−ＰＤＣＣＨとＤＭ  ＲＳとをプレコーディングする。
【０１１４】
具体的には、Ｅ−ＰＤＣＣＨが、ＰＲＢペア・グループにおける少なくとも２つのＰＲＢペアで伝送された場合、少なくとも２つのＰＲＢペアでのＥ−ＰＤＣＣＨおよびＤＭ  ＲＳが、同じプレコーディング行列を使用することによってプレコーディングされた場合、ＵＥは、少なくとも２つのＰＲＢペアのＤＭ  ＲＳで結合的なチャネル推定を行うことができる。結合的なチャネル推定は、ＤＭ  ＲＳチャネルが少なくとも２つのＰＲＢペアを使用して取得された後、データＲＥでのチャネルが、ＤＭ  ＲＳのチャネルに従って取得された場合、ＲＥが位置するＰＲＢペアでのＤＭ  ＲＳチャネルが考慮されるだけでなく、他のＰＲＢペアのＤＭ  ＲＳチャネルも考慮される可能性がある。すなわち、少なくとも２つのＰＲＢペアでのＤＭ  ＲＳチャネルを関連づけることによって、各ＰＲＢペアでの各ＲＥのチャネルが取得される。
【０１１５】
この実施形態の実装方式では、Ｅ−ＰＤＣＣＨが２つの層で伝送された場合、同じプレコーディング行列を使用することによって、少なくとも２つのＰＲＢペアで復調参照ＤＭ  ＲＳポートのＤＭ  ＲＳをプレコーディングすることは、プレコーディング行列に含まれるプレコーディング・ベクトルを使用することによって、各ＰＲＢペアでの第１のＤＭ  ＲＳポートのＤＭ  ＲＳをプレコーディングすることと、同じプレコーディング行列に含まれるさらに別のプレコーディング・ベクトルを使用することによって、各ＰＲＢペアでの第２のＤＭ  ＲＳポートのＤＭ  ＲＳをプレコーディングすることとを含む。
【０１１６】
４０４：ＵＥは、基地局によって送信されたＥ−ＰＤＣＣＨと、少なくとも２つのＰＲＢペアにおいてＥ−ＰＤＣＣＨを復調するためのＤＭ  ＲＳとを受信する。
【０１１７】
任意選択的に、４０４の前に、本ステップはさらに、ＵＥによって、少なくとも２つの物理的リソース・ブロック・ペアにおける各物理的リソース・ブロック・ペアを使用してＤＭ  ＲＳを受信するために使用されるＤＭ  ＲＳポートを決定することを含むことができる。この時点で、４０４は、具体的には、ＵＥによって、決定したＤＭ  ＲＳポートを使用することにより、少なくとも２つの物理的リソース・ブロック・ペアの各物理的リソース・ブロック・ペアを使用してＤＭ  ＲＳを受信する。ＤＭ  ＲＳを受信するために使用されるＤＭ  ＲＳポートのポート番号は、少なくとも２つの物理的リソース・ブロック・ペアについて、別々のポート番号とすることができる。
【０１１８】
さらに、Ｅ−ＰＤＣＣＨが単一層で伝送された場合、ＵＥによって、少なくとも２つの物理的リソース・ブロック・ペアにおける各物理的リソース・ブロック・ペアでＤＭ  ＲＳを受信するために使用されるＤＭ  ＲＳポートを決定することは、ＵＥによって、少なくとも２つの物理的リソース・ブロック・ペアにおける各物理的リソース・ブロック・ペアを使用してＤＭ  ＲＳを受信するために使用されるＤＭ  ＲＳポートを決定することを含む。Ｅ−ＰＤＣＣＨが２つの層で伝送された場合、ＵＥによって、少なくとも２つの物理的リソース・ブロック・ペアにおける各物理的リソース・ブロック・ペアを使用してＤＭ  ＲＳを受信するために使用されるＤＭ  ＲＳポートを決定することは、ＵＥによって、少なくとも２つの物理的リソース・ブロック・ペアにおける各物理的リソース・ブロック・ペアでＤＭ  ＲＳを受信するために使用される第１のＤＭ  ＲＳポートおよび第２のＤＭ  ＲＳポートを決定することを含む。
【０１１９】
４０５：基地局によって使用された同じプレコーディング行列に従って、ＵＥが、Ｅ−ＰＤＣＣＨと、少なくとも２つのＰＲＢペアのＤＭ  ＲＳとをプレコーディングして、少なくとも２つのＰＲＢペアのＤＭ  ＲＳでチャネル推定を実行する。
【０１２０】
好ましくは、ＵＥは、基地局が同じプレコーディング行列を使用することによって、Ｅ−ＰＤＣＣＨと、少なくとも２つのＰＲＢペアについてのＤＭ  ＲＳをプレコーディングすることを考慮することができ、すなわち、ＵＥは、結合的なチャネル推定を実行する条件が満たされたと考え、少なくとも２つのＰＲＢペアのＤＭ  ＲＳで結合的なチャネル推定を実行する。
【０１２１】
さらに、Ｅ−ＰＤＣＣＨが２つの層で伝送された場合、ＵＥによって、基地局により使用される同じプレコーディング行列に従って、Ｅ−ＰＤＣＣＨと、少なくとも２つの物理的リソース・ブロック・ペアのＤＭ  ＲＳとをプレコーディングすること、および少なくとも２つの物理的リソース・ブロック・ペアのＤＭ  ＲＳでチャネル推定を実行することは、ＵＥによって、基地局により使用された同じプレコーディング行列に含まれるプレコーディング・ベクトルに従って、少なくとも２つの物理的リソース・ブロック・ペアの第１のＤＭ  ＲＳポートのＤＭ  ＲＳをプレコーディングして、少なくとも２つの物理的リソース・ブロック・ペアの第１のＤＭ  ＲＳポートによって受信されたＤＭ  ＲＳで結合的なチャネル推定を実行することと、ＵＥによって、基地局により使用された同じプレコーディング行列に含まれるさらに別のプレコーディング・ベクトルに従って、少なくとも２つの物理的リソース・ブロック・ペアの第２のＤＭ  ＲＳポートのＤＭ  ＲＳをプレコーディングして、少なくとも２つの物理的リソース・ブロック・ペアの第２のＤＭ  ＲＳポートによって受信されたＤＭ  ＲＳを使用して結合的なチャネル推定を実行することとを含む。
【０１２２】
ＵＥによって、基地局により使用された同じプレコーディング行列に含まれるプレコーディング・ベクトルに従って、少なくとも２つの物理的リソース・ブロック・ペアの第１のＤＭ  ＲＳポートのＤＭ  ＲＳをプレコーディングすることは、少なくとも２つの物理的リソース・ブロック・ペアで第１のＤＭ  ＲＳポートによって受信されたＤＭ  ＲＳについて結合的なチャネル推定を実行する条件が満たされたとＵＥがみなしたことを意味する。ＵＥによって、基地局により使用された同じプレコーディング行列に含まれるさらに別のプレコーディング・ベクトルに従って、少なくとも２つの物理的リソース・ブロック・ペアの第２のＤＭ  ＲＳポートのＤＭ  ＲＳをプレコーディングすることは、少なくとも２つの物理的リソース・ブロック・ペアで第２のＤＭ  ＲＳポートによって受信されたＤＭ  ＲＳについて結合的なチャネル推定を実行する条件が満たされたとＵＥがみなしたことを意味する。
【０１２３】
４０６：ＵＥは、チャネル推定の結果に従い、少なくとも２つの物理的リソース・ブロック・ペアの所定の位置でＥ−ＰＤＣＣＨを検出する。
【０１２４】
所定の位置とは、Ｅ−ＰＤＣＣＨが位置づけられたＲＥの位置であり、所定の位置は、基地局とＵＥとの両方に知らされる。
【０１２５】
図１４を参照すると、図１４は、本発明の一実施形態による基地局の構造図である。この実施形態の基地局は、図１３に対応する実施形態によって提供された方法を実現することができる。他の実施形態での関連した説明もまた、この実施形態での基地局に適用可能である。この実施形態の基地局は、
物理的リソース・ブロック・ペア・グループ内の少なくとも２つの物理的リソース・ブロック・ペアを決定するよう構成された、リソース決定ユニット１４１を備え、ここで、少なくとも２つの物理的リソース・ブロック・ペアは、拡張下りリンク制御チャネルＥ−ＰＤＣＣＨと、Ｅ−ＰＤＣＣＨを復調するための復調参照（ＤＭ  ＲＳ）とを送信するために使用され、
基地局はさらに、同じプレコーディング行列を使用することによって、Ｅ−ＰＤＣＣＨと、リソース決定ユニット１４１により決定された少なくとも２つの物理的リソース・ブロック・ペアのＤＭ  ＲＳとをプレコーディングするよう構成された、プレコーディング・ユニット１４２を備える。
【０１２６】
この実施形態の実装方式では、物理的リソース・ブロック・ペア・グループは、複数の連続する物理的リソース・ブロック・ペアによって形成されるか、または物理的リソース・ブロック・ペア・グループは、プレコーディング・リソース・ブロック・グループＰＲＧであり、ＰＲＧにおける物理的リソース・ブロックの個数は、システム帯域幅により決定される。
【０１２７】
この実施形態の他の実装方式では、基地局は、さらに、ＤＭ  ＲＳを送信するＤＭ  ＲＳポートを決定するよう構成された、ポート決定ユニット１４３を備え、少なくとも２つの物理的リソース・ブロック・ペアについてのＤＭ  ＲＳポートのポート番号は別々である。
【０１２８】
この実施形態の他の実装方式では、Ｅ−ＰＤＣＣＨが単一層で伝送された場合、ポート決定ユニット１４３は、少なくとも２つの物理的リソース・ブロック・ペアの各物理的リソース・ブロック・ペアについてＤＭ  ＲＳポートを決定するよう構成され、Ｅ−ＰＤＣＣＨが２つの層で伝送された場合、ポート決定ユニット１４３は、少なくとも２つの物理的リソース・ブロック・ペアの各物理的リソース・ブロック・ペアについて第１のＤＭ  ＲＳポートおよび第２のＤＭ  ＲＳポートを決定するよう構成される。
【０１２９】
この実施形態の他の実装方式では、Ｅ−ＰＤＣＣＨが２つの層で伝送された場合、プレコーディング・ユニット１４２は、プレコーディング行列に含まれるプレコーディング・ベクトルを使用することによって、各物理的リソース・ブロック・ペアについて、第１のＤＭ  ＲＳポートのＤＭ  ＲＳをプレコーディングし、同じプレコーディング行列に含まれるさらに別のプレコーディング・ベクトルを使用することによって、各物理的リソース・ブロック・ペアについて、第２のＤＭ  ＲＳポートのＤＭ  ＲＳをプレコーディングするよう構成される。
【０１３０】
この実施形態の他の実装方式では、少なくとも２つの物理的リソース・ブロック・ペアは、２つの連続した物理的リソース・ブロック・ペアである。
【０１３１】
図１５を参照すると、図１５は、本発明の一実施形態によるユーザ機器（ＵＥ）の構造図である。この実施形態のＵＥは、図１３に対応する実施形態によって提供された方法を実現することができる。他の実施形態での関連した説明もまた、この実施形態でのユーザ機器に適用可能である。この実施形態でのＵＥは、
基地局により送信された拡張下りリンク制御チャネルＥ−ＰＤＣＣＨと、物理的リソース・ブロック・ペア・グループ内の少なくとも２つの物理的リソース・ブロック・ペアを使用してＥ−ＰＤＣＣＨを復調するための復調参照ＤＭ  ＲＳとを受信するよう構成された、受信ユニット１５１と、
基地局によって使用された同じプレコーディング行列に従って、Ｅ−ＰＤＣＣＨと、少なくとも２つの物理的リソース・ブロック・ペアのＤＭ  ＲＳとをプレコーディングして、受信ユニット１５１によって受信された少なくとも２つの物理的リソース・ブロック・ペアのＤＭ  ＲＳを使用してチャネル推定を実行するよう構成された、チャネル推定ユニット１５２と、
チャネル推定ユニットによって取得されたチャネル推定の結果に従い、少なくとも２つの物理的リソース・ブロック・ペアの所定の位置においてＥ−ＰＤＣＣＨを検出するよう構成された、検出ユニット１５３とを備える。
【０１３２】
この実施形態の他の実装方式では、チャネル推定ユニット１５２は、基地局によって使用された同じプレコーディング行列に従って、Ｅ−ＰＤＣＣＨと、少なくとも２つの物理的リソース・ブロック・ペアのＤＭ  ＲＳとをプレコーディングして、受信ユニット１５１によって受信された少なくとも２つの物理的リソース・ブロック・ペアのＤＭ  ＲＳを使用して結合的なチャネル推定を実行するよう構成される。
【０１３３】
この実施形態の他の実装方式では、物理的リソース・ブロック・ペアは、複数の連続する物理的リソース・ブロック・ペアによって形成されるか、または物理的リソース・ブロック・ペア・グループは、プレコーディング・リソース・ブロック・グループＰＲＧであり、ＰＲＧにおけるリソース・ブロックＲＢの個数は、システム帯域幅により決定される。
【０１３４】
この実施形態の他の実装方式では、ＵＥはさらに、少なくとも２つの物理的リソース・ブロック・ペア内の各物理的リソース・ブロック・ペアでＤＭ  ＲＳを受信するために使用されるＤＭ  ＲＳポートを決定するよう構成された、決定ユニット１５４と、決定したＤＭ  ＲＳポートを使用することによって、少なくとも２つの物理的リソース・ブロック・ペアにおける各物理的リソース・ブロック・ペアを使用してＤＭ  ＲＳを受信するよう構成された、受信ユニット１５１とを備え、少なくとも２つの物理的リソース・ブロック・ペアにおいてＤＭ  ＲＳを受信することによって使用されるＤＭ  ＲＳポートのポート番号は別々である。
【０１３５】
この実施形態の他の実装方式では、Ｅ−ＰＤＣＣＨが単一層で伝送された場合、決定ユニット１５４は、少なくとも２つの物理的リソース・ブロック・ペアの各物理的リソース・ブロック・ペアでＤＭ  ＲＳを受信するために使用されるＤＭ  ＲＳポートを決定するよう構成され、Ｅ−ＰＤＣＣＨが２つの層で伝送された場合、決定ユニット１５４は、少なくとも２つの物理的リソース・ブロック・ペアの各物理的リソース・ブロック・ペアでＤＭ  ＲＳを受信するために使用される第１のＤＭ  ＲＳポートおよび第２のＤＭ  ＲＳポートを決定するよう構成される。
【０１３６】
この実施形態の他の実装方式では、Ｅ−ＰＤＣＣＨが２つの層で伝送された場合、チャネル推定ユニット１５２は、基地局によって使用された同じプレコーディング行列に含まれるプレコーディング・ベクトルに従って、少なくとも２つの物理的リソース・ブロック・ペアの第１のＤＭ  ＲＳポートのＤＭ  ＲＳをプレコーディングして、少なくとも２つの物理的リソース・ブロック・ペアの第１のＤＭ  ＲＳポートによって受信されたＤＭ  ＲＳについて結合的なチャネル推定を実行し、さらに、基地局によって使用された同じプレコーディング行列に含まれるさらに別のプレコーディング・ベクトルに従って、少なくとも２つの物理的リソース・ブロック・ペアの第２のＤＭ  ＲＳポートのＤＭ  ＲＳをプレコーディングして、少なくとも２つの物理的リソース・ブロック・ペアの第２のＤＭ  ＲＳポートによって受信されたＤＭ  ＲＳについて結合的なチャネル推定を実行するよう構成される。
【０１３７】
この実施形態の他の実装方式では、少なくとも２つの物理的リソース・ブロック・ペアは、２つの連続した物理的リソース・ブロック・ペアである。
【０１３８】
図１６を参照すると、本発明の他の実施形態は、基地局１３０１とＵＥ１３０２とを含む、下りリンク制御情報を伝送するためのシステムを提供し、基地局１３０１は、前記した実施形態の任意の１つにおける基地局とすることができ、ＵＥ１３０２は、前記した実施形態の任意の１つにおけるＵＥとすることができる。本システムでは、多重化ユニットを複数の制御チャネル・エレメントに分割することによって、および少なくとも１つのＵＥに対応する少なくとも１つのＥ−ＰＤＣＣＨを送信することによって、各ＵＥに対して、拡張下りリンク制御チャネルの粒度が、制御チャネル・エレメント単位となる。従来技術におけるＲＢペア単位の粒度の大きさと比較すると、粒度の大きさは低減され、リソースの無駄がなくなり、下りリンク制御チャネルが拡張され、それにより、ＵＥが使用するためにより多くの制御チャネルを提供する。多重化ユニットは、時分割多重化、または周波数分割多重化、または時間−周波数多重化で複数の制御チャネル・エレメントに分割することができ、複数の制御チャネル・エレメントは、さまざまな実装方式において局所的に、または交互に分散することができ、本用途は、柔軟であり、簡便である。
【０１３９】
当業者は、前記した実施形態のステップのすべて、もしくは一部がハードウェアによって実現できること、またはプログラム命令関連ハードウェアによって実現することができることが理解されよう。プログラムは、コンピュータ読取り可能記憶媒体に格納することができ、記憶媒体は、リード・オンリー・メモリ、磁気ディスク、または光学ディスクとすることができる。
【０１４０】
上記の説明は、本発明の実施形態についての単なる例示であるが、本発明を限定することを意図しない。本発明の技術思想および基本原理から逸脱することなく、任意の修正、均等物による置換、または改良は、本発明の権利保護範囲の中に含まれるべきである。
【０１４１】
（関連出願の相互参照）
本出願は、２０１１年８月１８日に中国特許庁に出願された、「ＭＥＴＨＯＤ，ＤＥＶＩＣＥ  ＡＮＤ  ＳＹＳＴＥＭ  ＦＯＲ  ＴＲＡＮＳＭＩＴＴＩＮＧ  ＥＮＨＡＮＣＥＤ  ＤＯＷＮＬＩＮＫ  ＣＯＮＴＲＯＬ  ＣＨＡＮＮＥＬ」と題する中国特許第２０１１１０２３７８０６．９号の優先権を主張し、さらに、２０１２年３月２２日に中国特許庁に出願された、「ＭＥＴＨＯＤ，ＤＥＶＩＣＥ  ＡＮＤ  ＳＹＳＴＥＭ  ＦＯＲ  ＴＲＡＮＳＭＩＴＴＩＮＧ  ＥＮＨＡＮＣＥＤ  ＤＯＷＮＬＩＮＫ  ＣＯＮＴＲＯＬ  ＣＨＡＮＮＥＬ」と題する中国特許第２０１２１００７９００３．Ｘ号の優先権を主張し、これらの開示内容の全体は参照により本明細書中に組み込まれる。
【図１】
0005938100.tif 000009
【図２】
0005938100.tif 000010
【図３】
0005938100.tif 000011
【図４】
0005938100.tif 000012
【図５】
0005938100.tif 000013
【図６】
0005938100.tif 000014
【図７】
0005938100.tif 000015
【図８】
0005938100.tif 000016
【図９ａ】
0005938100.tif 000017
【図９ｂ】
0005938100.tif 000018
【図１０ａ】
0005938100.tif 000019
【図１０ｂ】
0005938100.tif 000020
【図１０ｃ】
0005938100.tif 000021
【図１０ｄ】
0005938100.tif 000022
【図１０ｅ】
0005938100.tif 000023
【図１０ｆ】
0005938100.tif 000024
【図１１】
0005938100.tif 000025
【図１２】
0005938100.tif 000026
【図１３】
0005938100.tif 000027
【図１４】
0005938100.tif 000028
【図１５】
0005938100.tif 000029
【図１６】
0005938100.tif 000030